(57)【要約】  本発明はキャリアアグリゲーション(ｃａｒｒｉｅｒ ａｇｇｒｅｇａｔｉｏｎ)を介して広帯域を構成するＴＤＤ無線通信システムでデータチャンネルと制御チャンネルの送受信タイミング及びリソース割り当てを定義する方法に関する。本発明は、ＰセルまたはＳセルに対するダウンリンク物理チャンネルを送信する段階と、前記Ｐセルのダウンリンク物理チャンネルに対するＨＡＲＱを前記Ｐセルに対して予め設定された時点に受信する段階と、及び前記Ｓセルのダウンリンク物理チャンネルに対するＨＡＲＱを受信する段階を含み、 前記ＳセルのＨＡＲＱ受信時点は、前記Ｐ セルのＨＡＲＱ受信時点に応ずることを特徴とする。
2014519757.tif 000002
【特許請求の範囲】
【請求項１】
Ｐセル及び一つ以上のＳセルのキャリアアグリゲーションをサポートするＴＤＤ通信システムで基地局が端末からＨＡＲＱ(Ｈｙｂｒｉｄ Ａｕｔｏｍａｔｉｃ Ｒｅｐｅａｔ ｒｅｑｕｅｓｔ)を受信する方法であって、
前記Ｐセルまたは前記Ｓセルに対するダウンリンク物理チャンネルを送信する段階と、
前記Ｐセルのダウンリンク物理チャンネルに対するＨＡＲＱを前記Ｐセルに対して予め設定された時点に受信する段階と、及び
前記Ｓセルのダウンリンク物理チャンネルに対するＨＡＲＱを受信する段階と、を含み、
前記ＳセルのＨＡＲＱ受信時点は、 前記ＰセルのＨＡＲＱ受信時点に応ずることを特徴とする受信方法。
【請求項２】
前記ＳセルのＨＡＲＱ受信時点は、
前記Ｐセル及び前記Ｓセルのダウンリンク物理チャンネルを同一時点に送信した場合、 前記ＰセルのＨＡＲＱ受信時点と同一であることを特徴とする、請求項１に記載の受信方法。
【請求項３】
前記ＳセルのＨＡＲＱ受信時点は、
前記Ｐセル及び前記Ｓセルのダウンリンク物理チャンネルを同一時点に送信しない場合、前記Ｓセルのダウンリンク物理チャンネル送信時点と最も近接した前記Ｐセルのダウンリンクサブフレームに対して予め設定されたＨＡＲＱ受信時点と同一であることを特徴とする、請求項１に記載の受信方法。
【請求項４】
同一時点で前記Ｐセルがダウンリンクサブフレームであり、前記Ｓセルがアップリンクサブフレームの場合、前記時点で前記Ｓセルに対してクロスキャリアスケジューリングしない段階をさらに含むことを特徴とする、請求項１に記載の受信方法。
【請求項５】
Ｐセル及び一つ以上のＳセルのキャリアアグリゲーションをサポートするＴＤＤ通信システムで端末が基地局にＨＡＲＱ(Ｈｙｂｒｉｄ Ａｕｔｏｍａｔｉｃ Ｒｅｐｅａｔ ｒｅｑｕｅｓｔ)を送信する方法であって、
前記Ｐセルまたは前記Ｓセルに対するダウンリンク物理チャンネルを受信する段階と、
前記Ｐセルのダウンリンク物理チャンネルに対するＨＡＲＱを前記Ｐセルに対して予め設定された時点に送信する段階と、及び
前記Ｓセルのダウンリンク物理チャンネルに対するＨＡＲＱを送信する段階を含み、
前記ＳセルのＨＡＲＱ送信時点は、前記ＰセルのＨＡＲＱ送信時点に応ずることを特徴とする送信方法。
【請求項６】
前記ＳセルのＨＡＲＱ送信時点は、
前記Ｐセル及び前記Ｓセルのダウンリンク物理チャンネルを同一時点に受信した場合、
前記ＰセルのＨＡＲＱ送信時点と同一であることを特徴とする、 請求項５に記載の送信方法。
【請求項７】
前記ＳセルのＨＡＲＱ送信時点は、
前記Ｐセル及び前記Ｓセルのダウンリンク物理チャンネルを同一時点に受信しない場合、 前記Ｓセルのダウンリンク物理チャンネル受信時点と最も近接した前記Ｐセルのダウンリンクサブフレームに対して予め設定されたＨＡＲＱ送信時点と同一であることを特徴とする請求項５に記載の送信方法。
【請求項８】
Ｐセル及び一つ以上のＳセルのキャリアアグリゲーションをサポートするＴＤＤ通信システムで端末からＨＡＲＱ(Ｈｙｂｒｉｄ Ａｕｔｏｍａｔｉｃ Ｒｅｐｅａｔ ｒｅｑｕｅｓｔ)を受信する基地局であって、
前記端末と信号を送受信する送受信部、及び
前記Ｐセルまたは前記Ｓセルに対するダウンリンク物理チャンネルを送信し、前記Ｐセルのダウンリンク物理チャンネルに対するＨＡＲＱを前記Ｐセルに対して予め設定された時点に受信し、前記Ｓセルのダウンリンク物理チャンネルに対するＨＡＲＱを受信するように制御する制御器を含み、
前記制御器は、 前記ＳセルのＨＡＲＱ受信時点を前記ＰセルのＨＡＲＱ受信時点に応ずるように設定することを特徴とする基地局。
【請求項９】
前記制御器は、
前記Ｐセル及び前記Ｓセルのダウンリンク物理チャンネルを同一時点で送信した場合、 前記ＳセルのＨＡＲＱ受信時点を前記ＰセルのＨＡＲＱ受信時点と同一であるように設定することを特徴とする、請求項８に記載の基地局。
【請求項１０】
前記制御器は、
前記Ｐセル及び前記Ｓセルのダウンリンク物理チャンネルを同一時点で送信しない場合、 前記Ｓセルのダウンリンク物理チャンネル送信時点と最も近接した前記Ｐセルのダウンリンクサブフレームに対して予め設定されたＨＡＲＱ受信時点と同一であるように前記ＳセルのＨＡＲＱ受信時点を設定することを特徴とする、請求項８に記載の基地局。
【請求項１１】
前記制御器は、
同一時点で前記Ｐセルがダウンリンクサブフレームであり、前記Ｓセルがアップリンクサブフレームの場合、 前記時点で前記Ｓセルに対してクロスキャリアスケジューリングしないことを特徴とする、請求項８に記載の基地局。
【請求項１２】
Ｐセル及び一つ以上のＳセルのキャリアアグリゲーションをサポートするＴＤＤ通信システムで基地局にＨＡＲＱ(Ｈｙｂｒｉｄ Ａｕｔｏｍａｔｉｃ Ｒｅｐｅａｔ ｒｅｑｕｅｓｔ)を送信する端末であって、
前記基地局と信号を送受信する送受信部、及び
前記Ｐセルまたは前記Ｓセルに対するダウンリンク物理チャンネルを受信し、前記Ｐセルのダウンリンク物理チャンネルに対するＨＡＲＱを前記Ｐセルに対して予め設定された時点に送信し、 前記Ｓセルのダウンリンク物理チャンネルに対するＨＡＲＱを送信するように制御する制御器を含み
前記制御器は、前記ＳセルのＨＡＲＱ送信時点を前記ＰセルのＨＡＲＱ送信時点に応ずるように設定することを特徴とする端末。
【請求項１３】
前記制御器は、
前記Ｐセル及び前記Ｓセルのダウンリンク物理チャンネルを同一時点に受信した場合、 前記ＳセルのＨＡＲＱ送信時点を前記ＰセルのＨＡＲＱ送信時点と同一であるように設定することを特徴とする、請求項１２に記載の端末。
【請求項１４】
前記制御器は、
前記Ｐセル及び前記Ｓセルのダウンリンク物理チャンネルを同一時点に受信しない場合、 前記Ｓセルのダウンリンク物理チャンネル受信時点と最も近接した前記Ｐセルのダウンリンクサブフレームに対して予め設定されたＨＡＲＱ送信時点と同一であるように前記 ＳセルのＨＡＲＱ送信時点を設定することを特徴とする、請求項１２に記載の端末。
【発明の詳細な説明】
【技術分野】
【０００１】
本発明は、セルラ(ｃｅｌｌｕｌａｒ)無線通信システムに関し、特にキャリアアグリゲーション(ｃａｒｒｉｅｒ ａｇｇｒｅｇａｔｉｏｎ)をサポートするＴＤＤ(Ｔｉｍｅ Ｄｉｖｉｓｉｏｎ Ｄｕｐｌｅｘ)通信システムで物理チャンネルの送受信タイミング及びリソース割り当てを定義する方法に関する。
【背景技術】
【０００２】
無線通信システムは、初期の音声中心のサービスの提供から脱し、例えば、３ＧＰＰのＨＳＰＡ(Ｈｉｇｈ Ｓｐｅｅｄ Ｐａｃｋｅｔ Ａｃｃｅｓｓ)、 ＬＴＥ(Ｌｏｎｇ Ｔｅｒｍ Ｅｖｏｌｕｔｉｏｎ)、３ＧＰＰ２のＨＲＰＤ(Ｈｉｇｈ Ｒａｔｅ Ｐａｃｋｅｔ Ｄａｔａ)、ＵＭＢ(Ｕｌｔｒａ Ｍｏｂｉｌｅ Ｂｒｏａｄｂａｎｄ)、及びＩＥＥＥの８０２．１６ｅなどの通信標準のように高速、 ハイクオリティーのパケットデータサービスを提供する広帯域無線通信システムへ発展しつつある。
【０００３】
広帯域無線通信システムの代表的な例としては、ＬＴＥシステムでダウンリンク(Ｄｏｗｎｌｉｎｋ)は、ＯＦＤＭ(Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)方式を採用し、アップリンク(Ｕｐｌｉｎｋ)はＳＣ−ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)方式を採用している。上記のような多重接続方式は、 通常の各使用者別にデータ、或いは制御情報を送る時間−周波数リソースが互いに重ならないように、即ち、直交性(Ｏｒｔｈｏｇｏｎａｌｉｔｙ)が成るように、 割り当て及び管理することによって各使用者別にデータ、或いは制御情報を区分する。
【０００４】
また、ＬＴＥシステムは、初期送信で復号失敗が発生された場合、 物理階層で当該データを再送信するＨＡＲＱ(Ｈｙｂｒｉｄ Ａｕｔｏｍａｔｉｃ Ｒｅｐｅａｔ ｒｅＱｕｅｓｔ)方式を採用している。
【０００５】
ＨＡＲＱ方式とは、受信機がデータを正確に復号できない場合、 受信機が送信機に復号失敗を通知する情報(ＮＡＣＫ)を送信することを言う。これによって送信機が物理階層で当該データを再送信でき、 受信機は送信機が再送信したデータを既存に復号失敗したデータと結合してデータ受信性能を高める。また、受信機がデータを正確に復号した場合、復号成功を通知する情報(ＡＣＫ)を送信して送信機が新しいデータを送信する。
【０００６】
広帯域無線通信システムで高速の無線データサービスを提供するために重要なものうちの１つは、拡張性帯域幅(ｓｃａｌａｂｌｅ ｂａｎｄｗｉｄｔｈ)のサポートである。その一例として、 ＬＴＥシステムは、２０／１５／１０／５／３／１．４ＭＨｚなどの多様な帯域幅を有するのが可能である。従って、サービス事業者は多様な帯域幅のうちの特定帯域幅を選択してサービスを提供できる。さらに、端末機も最大２０ＭＨｚ帯域幅をサポートすることから最小１.４ＭＨｚ帯域幅のみをサポートなど多くの種類が存在することができる。
【０００７】
一方、ＩＭＴ−Ａｄｖａｎｃｅｄ要求水準のサービスを提供することを目標とするＬＴＥ−Ａｄｖａｎｃｅｄ(以下、単に「ＬＴＥ−Ａ」と称する)システムは、ＬＴＥキャリアアグリゲーション(ｃａｒｒｉｅｒ ａｇｇｒｅｇａｔｉｏｎ)を介して最大１００ＭＨｚ 帯域幅に至る広帯域のサービスを提供できる。ＬＴＥ−Ａシステムは、高速のデータ送信のためにＬＴＥシステムより広帯域を要する。それと共にＬＴＥ−Ａシステムは、ＬＴＥ端末に対する下位互換性(ｂａｃｋｗａｒｄ ｃｏｍｐａｂｉｔｉｌｉｔｙ)も重要でＬＴＥ端末もＬＴＥ−Ａシステムに接続してサービスを受けるべきである。これのためにＬＴＥ−Ａシステムは、全体システム帯域をＬＴＥ端末が送信、或いは受信できる帯域幅のサブバンド(ｓｕｂｂａｎｄ)、或いは構成キャリア(ｃｏｍｐｏｎｅｎｔ ｃａｒｒｉｅｒ；ＣＣ)で分けて、所定の構成キャリアを集合する。そして、ＬＴＥ−Ａシステムは、各構成キャリア別でデータを生成及び送信し、 各構成キャリア別で活用される既存ＬＴＥシステムの送受信プロセスを介してＬＴＥ−Ａシステムの高速データ送信をサポートすることができる。
【０００８】
各構成キャリア別で送信するデータに対するスケジューリング情報は、ダウンリンク制御情報(Ｄｏｗｎｌｉｎｋ Ｃｏｎｔｒｏｌ Ｉｎｆｏｒｍａｔｉｏｎ；ＤＣＩ)で端末に通知する。ＤＣＩは、多様なフォーマットを定義し、アップリンクデータに対するスケジューリング情報であるかダウンリンクデータに対するスケジューリング情報であるか否か、 コンパクトＤＣＩであるか否か、多重アンテナを使用した空間多重化(ｓｐａｔｉａｌ Ｍｕｌｔｉｐｌｅｘｉｎｇ)を適用するのか否か、電力制御用のＤＣＩであるか否かなどにより決まったＤＣＩフォーマットを適用して管理する。例えば、 ＭＩＭＯ(Ｍｕｌｔｉｐｌｅ Ｉｎｐｕｔ Ｍｕｌｔｉｐｌｅ Ｏｕｔｐｕｔ、 多重入出力アンテナ)を適用しないダウンリンクデータに対する制御情報であるＤＣＩ ｆｏｒｍａｔ１は以下の通り制御情報から構成される。
【０００９】
−Ｒｅｓｏｕｒｃｅ ａｌｌｏｃａｔｉｏｎ Ｔｙｐｅ０／１ ｆｌａｇ：リソース割り当て方式がＴｙｐｅ０なのかＴｙｐｅ１なのか通知する情報である。Ｔｙｐｅ０は、ビットマップ方式を適用してＲＢＧ(ｒｅｓｏｕｒｃｅ ｂｌｏｃｋ ｇｒｏｕｐ)単位でリソースを割り当てる。ＬＴＥ及びＬＴＥ−Ａシステムでスケジューリングの基本単位は、時間及び周波数領域リソースで表現されるＲＢ(ｒｅｓｏｕｒｃｅ ｂｌｏｃｋ)である。そしてＲＢＧは複数個のＲＢから構成され、Ｔｙｐｅ０方式でスケジューリングの基本単位となる。Ｔｙｐｅ１はＲＢＧ内で特定ＲＢを割り当てる。
【００１０】
- Ｒｅｓｏｕｒｃｅ ｂｌｏｃｋ ａｓｓｉｇｎｍｅｎｔ：データ送信に割り当てられた ＲＢを通知する情報である。システム帯域幅及びリソース割り当て方式に応じて表現するリソースが決定される。
【００１１】
-Ｍｏｄｕｌａｔｉｏｎ ａｎｄ ｃｏｄｉｎｇ ｓｃｈｅｍｅ:データ送信に使用した変調方式とコーディングレートを通知する情報である。
【００１２】
-ＨＡＲＱ ｐｒｏｃｅｓｓ ｎｕｍｂｅｒ：ＨＡＲＱのプロセス番号を通知する情報である。
【００１３】
- Ｎｅｗ ｄａｔａ ｉｎｄｉｃａｔｏｒ：ＨＡＲＱ初期送信なのか再送信なのかを通知する情報である。
【００１４】
- Ｒｅｄｕｎｄａｎｃｙ ｖｅｒｓｉｏｎ：ＨＡＲＱのｒｅｄｕｎｄａｎｃｙ ｖｅｒｓｉｏｎを通知する情報である。
【００１５】
- ＴＰＣ ｃｏｍｍａｎｄ ｆｏｒ ＰＵＣＣＨ:アップリンク制御チャンネルであるＰＵＣＣＨ(Ｐｈｙｓｉｃａｌ ｕｐｌｉｎｋ ｃｏｎｔｒｏｌ ｃｈａｎｎｅｌ)に対する電力制御命令を通知する情報である。
【００１６】
ＤＣＩはチャンネルコーディング及び変調過程を経てダウンリンク物理制御チャンネルであるＰＤＣＣＨ(Ｐｈｙｓｉｃａｌ ｄｏｗｎｌｉｎｋ ｃｏｎｔｒｏｌ ｃｈａｎｎｅｌ)を介して送信される。
【００１７】
図１は、従来技術によるキャリアアグリゲーションをサポートするＬＴＥ−Ａシステムでセルフスケジューリングを実行する例示を示した図面である。図１に図示したように、 ２個の構成キャリア(ＣＣ＃１、ＣＣ＃２)が集合されたＬＴＥ−Ａシステムで、 基地局は端末にダウンリンクデータをスケジューリングすることができる。
【００１８】
図１を参照すれば、構成キャリア＃１(Ｃｏｍｐｏｎｅｎｔ ｃａｒｒｉｅｒ＃１;ＣＣ＃１)１０９から送信されるＤＣＩ１０１は、既存ＬＴＥで定義されたフォーマットを適用した後、チャンネルコーディング及びインターリビングされてＰＤＣＣＨ１０３を生成する。
【００１９】
ＰＤＣＣＨ１０３は、ＣＣ＃１(１０９)で端末に割り当てられたデータチャンネルであるＰＤＳＣＨ(Ｐｈｙｓｉｃａｌ ｄｏｗｎｌｉｎｋ ｓｈａｒｅｄ ｃｈａｎｎｅｌ)２１３に対するスケジューリング情報を端末に通知する。さらに、構成キャリア＃２(ＣＣ＃２)(１１１)から送信されるＤＣＩ１０５は、既存ＬＴＥで定義されたフォーマットを適用した後、チャンネルコーディング及びインターリビングされてＰＤＣＣＨ１０７を生成する。ＰＤＣＣＨ１０７は、ＣＣ＃２(１１１)で端末に割り当てられたデータチャンネルであるＰＤＳＣＨ１１５に対するスケジューリング情報を端末に通知する。
【００２０】
キャリアアグリゲーションをサポートするＬＴＥ−Ａシステムで、 基本的にデータ送信及びデータ送信をサポートするためのダウンリンク制御情報(ＤＣＩ)送信は、図１に図示したように当該構成キャリア別にそれぞれ実行される。このようなスケジューリング方式はセルフスケジューリング(ｓｅｌｆ−ｓｃｈｅｄｕｌｉｎｇ)と称する。しかし、ＤＣＩの場合、端末の信頼度が高い受信性能を得るため、 データが送信される構成キャリアと異なる構成キャリアに送信されることができ、これをクロスキャリアスケジューリング(ｃｒｏｓｓ ｃａｒｒｉｅｒ ｓｃｈｅｄｕｌｉｎｇ)と称する。例えば、 図１の場合、 構成キャリア＃２が高い干渉(ｉｎｔｅｒｆｅｒｅｎｃｅ)の影響を受けてＤＣＩの信頼度が高い受信性能を期待しにくい場合、 ＤＣＩは相対的に干渉の影響が少ない構成キャリア＃１を介して送信されることができる。
【００２１】
データを送信するためのＰＤＳＣＨの場合、周波数選択的スケジューリング、或いはＨＡＲＱなどの方法で干渉の影響を乗り越えることができる。しかし、ＤＣＩを送信するためのＰＤＣＣＨの場合にはＨＡＲＱが適用されず、 システムの全帯域にかけて送信されて周波数選択的スケジューリングを適用することができないので干渉を乗り越えるための対策が必要である。
【００２２】
図２は、従来技術によるキャリアアグリゲーションをサポートするＬＴＥ−Ａシステムでクロスキャリアスケジューリングを実行する例示を示した図面である。より具体的に説明すれば、図２は構成キャリア＃１(Ｃｏｍｐｏｎｅｎｔ ｃａｒｒｉｅｒ＃１；ＣＣ＃１、２０９)と構成キャリア＃２(Ｃｏｍｐｏｎｅｎｔ ｃａｒｒｉｅｒ＃２;ＤＬ ＣＣ＃２、２１９)でキャリアアグリゲーションされたＬＴＥ−Ａ端末に対するスケジューリング作動を例示する。ここで、ＣＣ＃２(２１９)がＣＣ＃１(２０９)よりダウンリンク干渉(ｉｎｔｅｒｆｅｒｅｎｃｅ)が相対的に過度に大きいので、ＣＣ＃２(２１９)のデータ送信に対するスケジューリング情報であるＤＣＩを送信する場合、ＤＣＩ受信性能を満足しにくい場合を仮定する。
【００２３】
図２を参照すれば、基地局はＤＣＩをＣＣ＃１(２０９)を介して送信できる。このようなクロスキャリアスケジューリングが可能にするために基地局はＤＣＩがどの構成キャリアに対するスケジューリング情報を現わすかに対するキャリアインジケーター(ｃａｒｒｉｅｒ ｉｎｄｉｃａｔｏｒ；ＣＩ)をスケジューリングされたデータのリソース割り当て情報と送信形式などを現わすＤＣＩに追加的に付け加えて送信すべきである。例えば、 ＣＩ＝“００”はＣＣ＃１(２０９)に対するスケジューリング情報なのを現わして、 ＣＩ＝“０１”はＣＣ＃２(２１９)に対するスケジューリング情報なのを現わす。
【００２４】
基地局はＣＣ＃１(２０９)にスケジューリングされたデータ２０７のリソース割り当て情報と送信形式などを現わすＤＣＩ２０１とキャリアインジケーター２０２を結合して拡張されたＤＣＩを構成する。さらに、基地局はこれをチャンネルコーディング２０３した後、変調及びインターリビングを介してＰＤＣＣＨを構成する。次に基地局はＣＣ＃１(２０９)のＰＤＣＣＨ領域２０５にマッピングして送信する。
【００２５】
基地局は、ＣＣ＃２(２１９)にスケジューリングされたデータ２１７のリソース割り当て情報と送信形式などを現わすＤＣＩ２１１とキャリアインジケーター２１２を結合して拡張されたＤＣＩを構成する。さらに、基地局はこれをチャンネルコーディング２１３した後、変調及びインターリビングを経てＰＤＣＣＨを構成した後、ＣＣ＃１(２０９)のＰＤＣＣＨ領域２０５にマッピングして送信する。
【００２６】
ＴＤＤ(Ｔｉｍｅ Ｄｉｖｉｓｉｏｎ Ｄｕｐｌｅｘ)システムは、ダウンリンク及びアップリンクに共通の周波数を使用するが、 時間領域でアップリンク信号とダウンリンク信号の送受信を区分して管理する。ＬＴＥ及びＬＴＥ−Ａ ＴＤＤサブフレーム別でアップリンク、或いはダウンリンク信号が区分され送信される。アップリンク及びダウンリンクのトラフィック負荷(ｔｒａｆｆｉｃ ｌｏａｄ)によって、アップ／ダウンリンク用サブフレームが時間領域で均等に分割して管理されることができる。または、アップ／ダウンリンク用サブフレームはダウンリンクにより多く割り当てられて管理されたり、或いはアップリンクにより多く割り当てられて管理されることができる。さらに、ＬＴＥでサブフレームの長さは１ｍｓで、１０サブフレームが集まって一つのラジオフレーム(ｒａｄｉｏ ｆｒａｍｅ)を構成する。
【００２７】
【表１】
2014519757.tif 000003
【００２８】
表１は、ＬＴＥに定義されたＴＤＤアップリンク−ダウンリンク設定(ＴＤ Ｄｕｐｌｉｎｋ−ｄｏｗｎｌｉｎｋ ｃｏｎｆｉｇｕｒａｔｉｏｎ)を現わす。表１で「Ｄ」はダウンリンク送信用と設定されたサブフレームを現わし、「Ｕ」はアップリンク送信用と設定されたサブフレームを現わし、「Ｓ」はＤｗＰＴＳ(Ｄｗｏｎｌｉｎｋ Ｐｉｌｏｔ Ｔｉｍｅ Ｓｌｏｔ)、ＧＰ(Ｇｕａｒｄ Ｐｅｒｉｏｄ)、ＵｐＰＴＳ(Ｕｐｌｉｎｋ Ｐｉｌｏｔ Ｔｉｍｅ Ｓｌｏｔ)から構成されるスペシャルサブフレーム(Ｓｐｅｃｉａｌ ｓｕｂｆｒａｍｅ)を現わす。
【００２９】
ＤｗＰＴＳでは一般的なサブフレームと同様にダウンリンクで制御情報送信が可能である。さらに、スペシャルサブフレームの設定状態によってＤｗＰＴＳの長さが十分に長い場合、ダウンリンクデータ送信も可能である。ＧＰはダウンリンクからアップリンクで送信信号の遷移を収容する区間でネットワーク設定などにより長さが決まる。ＵｐＰＴＳはアップリンクチャンネル状態を推定するのに必要な端末のＳＲＳ(Ｓｏｕｎｄｉｎｇ Ｒｅｆｅｒｅｎｃｅ Ｓｉｇｎａｌ)送信、或いはランダムアクセスのための端末のＲＡＣＨ(Ｒａｎｄｏｍ Ａｃｃｅｓｓ Ｃｈａｎｎｅｌ)送信に使用される。
【００３０】
例えば、ＴＤＤアップリンク−ダウンリンク設定＃６の場合、サブフレーム＃０、＃５、＃９でダウンリンクデータ及び制御情報送信が可能であり、サブフレーム＃２、＃３、＃４、＃７、＃８でアップリンクデータ及び制御情報送信が可能である。さらに、スペシャルサブフレームに該当するサブフレーム＃１、＃６ではダインリンク制御情報と場合によってダウンリンクデータ送信が可能である。さらに、サブフレーム＃１、＃６でアップリンクではＳＲＳ、或いはＲＡＣＨ送信が可能である。
【００３１】
ＴＤＤシステムではダウンリンク、或いはアップリンク信号送信が特定時間区間の間に限って許容される。従って、データスケジューリングのための制御チャンネル、スケジューリングされるデータチャンネル、及びデータチャンネルに対応されるＨＡＲＱ ＡＣＫ／ＮＡＣＫチャンネルなど相互関係にあるアップ／ダウンリンク物理チャンネルの間の具体的なタイミング関係が定義される必要がある。
【００３２】
ＬＴＥ及びＬＴＥ−Ａ ＴＤＤシステムでダウンリンクデータ送信用物理チャンネルであるＰＤＳＣＨ(Ｐｈｙｓｉｃａｌ Ｄｏｗｎｌｉｎｋ Ｓｈａｒｅｄ Ｃｈａｎｎｅｌ)と、ここに対応されるアップリンクＨＡＲＱ ＡＣＫ／ＮＡＣＫが送信される物理チャンネルであるＰＵＣＣＨ(Ｐｈｙｓｉｃａｌ Ｕｐｌｉｎｋ Ｃｏｎｔｒｏｌ Ｃｈａｎｎｅｌ)或いはＰＵＳＣＨ(Ｐｈｙｓｉｃａｌ Ｕｐｌｉｎｋ Ｓｈａｒｅｄ Ｃｈａｎｎｅｌ)のアップ／ダウンリンクタイミング関係は以下の通りである。
【００３３】
端末は基地局からサブフレームｎ−ｋから送信されたＰＤＳＣＨを受信すると、 アップリンクサブフレームｎで受信されたＰＤＳＣＨに対するアップリンクＨＡＲＱ ＡＣＫ／ＮＡＣＫを送信る。この際、ｋは集合ｋの構成元素として、ｋは表２に定義された通りである。
【００３４】
【表２】
2014519757.tif 000004
【００３５】
図３は、従来技術によるＬＴＥシステムでＴＤＤアップリンク−ダウンリンク設定＃６の場合、ＰＤＳＣＨとアップリンクＨＡＲＱ ＡＣＫ／ＮＡＣＫのタイミング関係を示した図面である。より詳しく説明すれば、図３は、ＴＤＤアップリンク−ダウンリンク設定＃６の場合、ＰＤＳＣＨがそれぞれのダウンリンク、或いはスペシャルサブフレームに送信される際、ここに対応されるアップリンクＨＡＲＱ ＡＣＫ／ＮＡＣＫがサブフレームに送信されるかどうかを表２の定義によって例示した図面である。
【００３６】
例えば、端末はラジオフレームｉのサブフレーム＃０で基地局が送信したＰＤＳＣＨ３０１に対応されるアップリンクＨＡＲＱ ＡＣＫ／ＮＡＣＫをラジオフレームｉのサブフレーム＃７(３０３)を介して送信する。この際、ＰＤＳＣＨ３０１に対するスケジューリング情報を含むダウンリンク制御情報(ＤＣＩ)はＰＤＳＣＨが送信されるサブフレーと同一サブフレームのＰＤＣＣＨを介して送信される。他の例で、端末はラジオフレームｉのサブフレーム＃９で基地局が送信したＰＤＳＣＨ３０５に対応されるアップリンクＨＡＲＱ ＡＣＫ／ＮＡＣＫをラジオフレームｉ＋１のサブフレーム＃４(３０７)を介して送信する。同様にＰＤＳＣＨ３０５に対するスケジューリング情報を含むダウンリンク制御情報(ＤＣＩ)はＰＤＳＣＨが送信されるサブフレームと同一のサブフレームのＰＤＣＣＨを介して送信される。
【００３７】
ＬＴＥ及びＬＴＥ−ＡシステムでダウンリンクＨＡＲＱは、データ再送信時点が固定されない非同期(ａｓｙｎｃｈｒｏｎｏｕｓ)ＨＡＲＱ方式を採択している。即ち、基地局が送信したＨＡＲＱ初期送信データに対して端末からＨＡＲＱ ＮＡＣＫがフィードバックされた場合、 基地局は次回のＨＡＲＱ再送信データの送信時点をスケジューリング作動によって自由に決定する。さらに、端末はＨＡＲＱ作動のために受信データをデコーディングした結果、エラーと判断されたＨＡＲＱデータに対してバッファリングをした後、 次回のＨＡＲＱ再送信データとコンバイニングを実行する。この際、端末の受信バッファー容量を一定限度以内に維持するためにそれぞれのＴＤＤアップリンク−ダウンリンク設定別で最大ダウンリンクＨＡＲＱプロセス個数を表３のように定義している。一つのＨＡＲＱプロセスは時間領域で一つのサブフレームにマッピングされる。
【００３８】
【表３】
2014519757.tif 000005
【００３９】
図３の例を参照すれば、端末はラジオフレームｉのサブフレーム＃０を介して基地局が送信したＰＤＳＣＨ３０１をデコーディングしてエラーと判断されるとＨＡＲＱ ＮＡＣＫをラジオフレームｉのサブフレーム＃７(３０３)へ送信する。基地局は、ＨＡＲＱ ＮＡＣＫを受信するとＰＤＳＣＨ３０１に対する再送信データをＰＤＳＣＨ３０９から構成してＰＤＣＣＨと共に送信する。図３の例では表３の定義によってＴＤＤアップリンク−ダウンリンク設定＃６の最大ダウンリンクＨＡＲＱプロセス個数が６個であることを反映したもので、 再送信データがラジオフレームｉ＋１のサブフレーム＃１に送信されることを例示する。即ち、初期送信ＰＤＳＣＨ３０１と再送信ＰＤＳＣＨ３０９の間に総６個のダウンリンクＨＡＲＱプロセス３１１、３１２、３１３、３１４、３１５、３１６が存在する。
【発明の概要】
【発明が解決しようとする課題】
【００４０】
上記の如き定義されたＬＴＥ ＴＤＤシステムの各物理チャンネルの間のタイミング関係をキャリアアグリゲーションをサポートするＬＴＥ−Ａシステムに適用する場合、 既存タイミング関係以外に追加的な作動を定義する必要がある。具体的に、集合されたキャリアのＴＤＤアップリンク−ダウンリンク設定がキャリア別で異なるとき、ｓｅｌｆ−ｓｃｈｅｄｕｌｉｎｇ、或いはｃｒｏｓｓ ｃａｒｒｉｅｒ ｓｃｈｅｄｕｌｉｎｇを適用する場合、ＰＤＣＣＨ及びＰＤＳＣＨとアップリンクＨＡＲＱ ＡＣＫ／ＮＡＣＫの間のタイミング関係及びアップリンクＨＡＲＱ ＡＣＫ／ＮＡＣＫ送信リソースを割り当てる方法を定義する必要がある。
【課題を解決するための手段】
【００４１】
本発明の一実施形態によれば、Ｐセル(Ｐｒｉｍａｒｙ ｃｅｌｌ)及び一つ以上のＳセル（Ｓｅｃａｎｄａｒｙ ｃｅｌｌ）のキャリアアグリゲーションをサポートするＴＤＤ通信システムで基地局が端末からＨＡＲＱ(Ｈｙｂｒｉｄ Ａｕｔｏｍａｔｉｃ Ｒｅｐｅａｔ ｒｅｑｕｅｓｔ)を受信する方法は、上記Ｐセルまたは上記Ｓセルに対するダウンリンク物理チャンネルを送信する段階と、上記Ｐセルのダウンリンク物理チャンネルに対するＨＡＲＱを上記Ｐセルに対して予め設定された時点に受信する段階と、及び上記Ｓセルのダウンリンク物理チャンネルに対するＨＡＲＱを受信する段階、とを含み、上記ＳセルのＨＡＲＱ受信時点は、上記ＰセルのＨＡＲＱ受信時点に応ずることを特徴とする。
【００４２】
本発明の他の実施形態によれば、 Ｐセル及び一つ以上のＳセルのキャリアアグリゲーションをサポートするＴＤＤ通信システムで端末が基地局にＨＡＲＱ(Ｈｙｂｒｉｄ Ａｕｔｏｍａｔｉｃ Ｒｅｐｅａｔ ｒｅｑｕｅｓｔ)を送信する方法は、上記Ｐセルまたは上記Ｓセルに対するダウンリンク物理チャンネルを受信する段階と、上記Ｐセルのダウンリンク物理チャンネルに対するＨＡＲＱを上記Ｐセルに対して予め設定された時点に送信する段階と、及び上記Ｓセルのダウンリンク物理チャンネルに対するＨＡＲＱを送信する段階と、を含み、上記ＳセルのＨＡＲＱ送信時点は、上記ＰセルのＨＡＲＱ送信時点に応ずることを特徴とする。
【００４３】
本発明のまた他の実施形態によれば、Ｐセル及び一つ以上のＳセルのキャリアアグリゲーションをサポートするＴＤＤ通信システムで基地局にＨＡＲＱ(Ｈｙｂｒｉｄ Ａｕｔｏｍａｔｉｃ Ｒｅｐｅａｔ ｒｅｑｕｅｓｔ)を送信する端末は、上記基地局と信号を送受信する送受信部、及び上記Ｐセルまたは上記Ｓセルに対するダウンリンク物理チャンネルを受信し、上記Ｐセルのダウンリンク物理チャンネルに対するＨＡＲＱを上記Ｐセルに対して予め設定された時点に送信し、上記Ｓセルのダウンリンク物理チャンネルに対するＨＡＲＱを送信するように制御する制御部を含み、 上記制御部は、上記ＳセルのＨＡＲＱ送信時点を上記ＰセルのＨＡＲＱ送信時点に応ずるように設定することを特徴とする。
【００４４】
本発明の一実施形態によれば、キャリアアグリゲーションを介して広帯域を構成するＴＤＤ無線通信システムにおいて、特に集合されたキャリアのＴＤＤアップリンク−ダウンリンク設定がキャリ別で異なるとき、ＰＤＣＣＨ及びＰＤＳＣＨとアップリンクＨＡＲＱ ＡＣＫ／ＮＡＣＫの間のタイミング関係及びアップリンクＨＡＲＱ ＡＣＫ／ＮＡＣＫ送信資源を割り当てる方法を提供することができる。
【図面の簡単な説明】
【００４５】
【図１】従来技術によるキャリアアグリゲーションをサポートするＬＴＥ−Ａシステムでセルフスケジューリングを実行する一実施形態を示した図面である。
【図２】従来技術によるキャリアアグリゲーションをサポートするＬＴＥ−Ａシステムでクロスキャリアスケジューリングを実行する一例を示した図面である。
【図３】従来技術によるＬＴＥシステムでＴＤＤアップリンク−ダウンリンク設定＃６の場合、ＰＤＳＣＨとアップリンクＨＡＲＱ ＡＣＫ／ＮＡＣＫのタイミング関係を示した図面である。
【図４】本発明の実施形態によって集合されたキャリアのＴＤＤアップリンク−ダウンリンク設定がキャリア別で同一であるとき、ＰＤＳＣＨとアップリンクＨＡＲＱ ＡＣＫ／ＮＡＣＫのタイミング関係を示した図面である。
【図５】本発明の実施形態によって集合されたキャリアのＴＤＤアップリンク−ダウンリンク設定がキャリア別で互いに異なるとき、ＰＤＳＣＨとアップリンクＨＡＲＱ ＡＣＫ／ＮＡＣＫのタイミング関係を示した図面である。
【図６】本発明の第１実施形態によるＰＤＳＣＨとアップリンクＨＡＲＱ ＡＣＫ／ＮＡＣＫのタイミング関係を示した図面である。
【図７】本発明の第２実施形態によるＰＤＳＣＨとアップリンクＨＡＲＱ ＡＣＫ／ＮＡＣＫのタイミング関係を示した図面である。
【図８】本発明の第３実施形態によるＰＤＳＣＨとアップリンクＨＡＲＱ ＡＣＫ／ＮＡＣＫのタイミング関係を示した図面。
【図９】本発明の第１、２、３実施形態による基地局手続きを示した図面である。
【図１０】本発明の第１、２、３実施形態による端末手続きを示した図面である。
【図１１】本発明の第４実施形態によるＰＤＳＣＨとアップリンクＨＡＲＱ ＡＣＫ／ＮＡＣＫのタイミング関係を示した図面である。
【図１２】本発明の第１、２、３、４実施形態による基地局装置を示した図面である。
【図１３】本発明の第１、２、３、４実施形態による端末装置を示した図面である。
【発明を実施するための形態】
【００４６】
以下、本発明の実施形態を添付の図面と共に詳しく説明する。また、本発明を説明するにあたり関連する公知機能又は構成に対する具体的な説明が本発明の要旨を不必要にすると判断された場合、その詳細な説明は省略する。さらに、後述される用語は本発明における機能を考慮して定義された用語としてこれは使用者、 管理者の意図または慣例などによって変わることができる。よって、その定義は本明細書全般にかけて内容に基づいて決定されるべきである。以下、基地局は端末のリソース割り当てを実行する主体として、ｅＮｏｄｅ Ｂ、Ｎｏｄｅ Ｂ、ＢＳ(Ｂａｓｅ Ｓｔａｔｉｏｎ)、無線接続ユニット、基地局制御器、またはネットワーク上のノードのうちの少なくとも一つであることができる。
【００４７】
端末は、ＵＥ(Ｕｓｅｒ Ｅｑｕｉｐｍｅｎｔ)、ＭＳ(Ｍｏｂｉｌｅ Ｓｔａｔｉｏｎ)、 セルラーフォン、 スマートフォン、 コンピューター、 または通信機能を実行できるマルチメディアシステムを含むことができる。さらに、キャリアアグリゲーション(ｃａｒｒｉｅｒ ａｇｇｒｅｇａｔｉｏｎ)をサポートするＡｄｖａｎｃｅｄ Ｅ−ＵＴＲＡ(或いは「ＬＴＥ−Ａ」と称する)システムを一例として本発明の実施形態を説明するが、類似の技術的背景及び／またはチャンネル形態を有するその他の通信システムにも本発明の実施形態が適用されることができる。また、 本発明の実施形態は熟練された技術的知識を有する者の判断として本発明の範囲を大きく外れない範囲で一部変形により他の通信システムにも適用されることができる。例えば、 キャリアアグリゲーションをサポートするマルチキャリア(ｍｕｌｔｉｃａｒｒｉｅｒ)ＨＳＰＡシステムでも実施形態の一側面によるタイミング関係を適用することができる。
【００４８】
キャリアアグリゲーションをサポートするＬＴＥ−Ａシステムにおいて、データ送信をサポートするためのダウンリンク制御情報(ＤＣＩ)が送信される構成キャリアとＤＣＩによってスケジューリングされたデータが送信される構成キャリアが互いに相違する場合、 このようなスケジューリング作動をクロスキャリアスケジューリング(ｃｒｏｓｓ ｃａｒｒｉｅｒ ｓｃｈｅｄｕｌｉｎｇ)と言う。これに反し、 データ送信をサポートするためのダウンリンク制御情報(ＤＣＩ)が送信される構成キャリアとＤＣＩによってスケジューリングされたデータが送信される構成キャリアが互いに同一である場合、 このようなスケジューリング作動をセルフスケジューリング(ｓｅｌｆ−ｓｃｈｅｄｕｌｉｎｇ)と言う。
【００４９】
キャリアアグリゲーションをサポートするＬＴＥ−Ａシステムで集合された構成キャリアが周波数帯域で互いに隣接せず集合された構成キャリア相互の間に干渉問題を発生する可能性が低い場合、システム管理シナリオによってＴＤＤアップリンク−ダウンリンク設定が構成キャリア別で互いに異なるように設定されることができる。例えば、第１構成キャリアは、アップ／ダウンリンク用サブフレームを時間領域で均等に分割されて管理される。また、第２構成キャリアはダウンリンク用サブフレームをより多い割り当ててダウンリンク容量を確張して管理されることができる。他の例で、既存の３ＧＴＤＤシステムであるＴＤ−ＳＣＤＭＡとの互換性を考慮して、第１構成キャリアはＴＤ−ＳＣＤＭＡシステムと互換性が維持されるＴＤＤアップリンク−ダウンリンク設定を適用してＴＤ−ＳＣＤＭＡとＬＴＥ ＴＤＤシステムの間の相互干渉問題を防止する。さらに、第２構成キャリアは別途の制約事項無しにトラフィック負荷(ｔｒａｆｆｉｃ ｌｏａｄ)によってＴＤＤアップリンク−ダウンリンク設定を決定して管理することができる。
【００５０】
以下、本発明では、Ｐｃｅｌｌ及びＳｃｅｌｌから構成されるキャリアアグリゲーションシステムを説明する。Ｐｃｅｌｌ(Ｐｒｉｍａｒｙ Ｃｅｌｌ)(または第１セル)は、ｐｒｉｍａｒｙ ｆｒｅｑｕｅｎｃｙ(またはＰｒｉｍａｒｙ Ｃｏｍｐｏｎｅｎｔ Ｃａｒｒｉｅｒ；ＰＣＣ)で管理されて端末に基本的な無線リソースを提供し、端末が初期接続及びハンドオーバーなどの作動を実行するセルを意味する。さらに。Ｓｃｅｌｌ(Ｓｅｃｏｎｄａｒｙ Ｃｅｌｌ)(または第２セル)はｓｅｃｏｎｄａｒｙ ｆｒｅｑｕｅｎｃｙ(またはＳｅｃｏｎｄａｒｙ Ｃｏｍｐｏｎｅｎｔ Ｃａｒｒｉｅｒ；ＳＣＣ)で端末にＰｃｅｌｌと共に追加的な無線リソースを提供するセルである。通常、端末が基地局にフィードバックするＨＡＲＱ ＡＣＫ／ＮＡＣＫは制御情報を送信するための物理制御チャンネルであるＰＵＣＣＨ(Ｐｈｙｓｉｃａｌ Ｕｐｌｉｎｋ Ｃｏｎｔｒｏｌ Ｃｈａｎｎｅｌ)から構成されてＰｃｅｌｌを介して送信されると仮定する。
【００５１】
本発明の主な要旨は、キャリアアグリゲーション(ｃａｒｒｉｅｒ ａｇｇｒｅｇａｔｉｏｎ)を介して広帯域を構成するＴＤＤ無線通信システムにおいて、集合されたキャリアのＴＤＤアップリンク−ダウンリンク設定がキャリア別で異なりｓｅｌｆ−ｓｃｈｅｄｕｌｉｎｇ或いはｃｒｏｓｓ ｃａｒｒｉｅｒ ｓｃｈｅｄｕｌｉｎｇが適用される場合、ＰＤＣＣＨ及びＰＤＳＣＨとアップリンクＨＡＲＱ ＡＣＫ／ＮＡＣＫの間のタイミング関係及びアップリンクＨＡＲＱ ＡＣＫ／ＮＡＣＫ送信リソースを割り当てる方法を定義することにある。
【００５２】
図４は、本発明の実施形態によって集合されたキャリアのＴＤＤアップリンク−ダウンリンク設定がキャリア別で同一である時、タイミング関係を例示した図面である。図４はＰｃｅｌｌ及びＳｃｅｌｌ全てのＴＤＤアップリンク−ダウンリンク設定＃１(ＴＤＤ ＵＬ／ＤＬ ｃｏｎｆｉｇｕｒａｔｉｏｎ１)で同一の場合を仮定して説明する。
【００５３】
図４を参照すれば、基地局がサブフレーム＃０でＰｃｅｌｌ４０１を介して送信されるＰＤＳＣＨ４０７とＰＤＳＣＨ４０７をスケジューリングするＰＤＣＣＨ４０５を送信する。また、基地局はサブフレーム＃０でＳｃｅｌｌ４０３を介して送信されるＰＤＳＣＨ４１３とＰＤＳＣＨ４１３をスケジューリングするＰＤＣＣＨ４１１を送信する。この際、それぞれのＰＤＳＣＨ４０７、４１３に対応されるＨＡＲＱ ＡＣＫ／ＮＡＣＫの送信タイミングは、ＴＤＤアップリンク−ダウンリンク設定＃１に対して定義されたタイミング関係によってサブフレーム＃７となる。すると端末はＰｃｅｌｌ４０１のサブフレーム＃７(４０９)を介してそれぞれのＰＤＳＣＨ４０７、４１３に対応されるＨＡＲＱ ＡＣＫ／ＮＡＣＫを送信する。
【００５４】
図５は、本発明の実施形態によって集合されたキャリアのＴＤＤアップリンク−ダウンリンク設定がキャリア別で互いに異なるとき、ＰＤＳＣＨとアップリンクＨＡＲＱ ＡＣＫ／ＮＡＣＫのタイミング関係を示した図面である。ここでＰｃｅｌｌ５０１はＴＤＤアップリンク−ダウンリンク設定＃３(ＴＤＤ ＵＬ／ＤＬ ｃｏｎｆｉｇｕｒａｔｉｏｎ３)であり、Ｓｃｅｌｌ５０３は、ＴＤＤアップリンク−ダウンリンク設定＃１(ＴＤＤ ＵＬ／ＤＬ ｃｏｎｆｉｇｕｒａｔｉｏｎ１)の場合を例示する。
【００５５】
図５を参照すれば、 基地局がサブフレーム＃０でＰｃｅｌｌ(５０１)を介して送信されるＰＤＳＣＨ５０７とＰＤＳＣＨ５０７をスケジューリングするＰＤＣＣＨ５０５を送信する。この際、ＰＤＳＣＨ５０７に対応されるＨＡＲＱ ＡＣＫ／ＮＡＣＫの送信タイミングはＴＤＤアップリンク−ダウンリンク設定＃３に対して定義されたタイミング関係によってサブフレーム＃４となる。従って、端末はＰｃｅｌｌ５０１でＰＤＳＣＨ５０７に対応されるＨＡＲＱ ＡＣＫ／ＮＡＣＫをサブフレーム＃４(５０９)を介して送信する。
【００５６】
また、基地局がサブフレーム＃０でＳｃｅｌｌ５０３から送信されるＰＤＳＣＨ５１３とＰＤＳＣＨ５１３をスケジューリングするＰＤＣＣＨ５１１を送信する。この際、ＰＤＳＣＨ５１３に対応されるＨＡＲＱ ＡＣＫ／ＮＡＣＫの送信タイミングはＴＤＤアップリンク−ダウンリンク設定＃１に対して定義されたタイミング関係によってサブフレーム＃７(５１５)となる。しかし、Ｐｃｅｌｌ観点でＨＡＲＱ ＡＣＫ／ＮＡＣＫを送信するサブフレーム＃７(５１７)がＤＬサブフレームなので、アップリンク信号送信が不可能である。
【００５７】
このような問題点を解決するために、 以下、本発明の具体的な実施形態は以下の通り規則を定義することができる。このような規則は、クロスキャリアスケジューリングやセルフスケジューリングに共通で適用可能である。
【００５８】
-「規則１」：Ｐｃｅｌｌでの端末のＨＡＲＱ ＡＣＫ／ＮＡＣＫ送信タイミングはキャリアアグリゲーション有無と関係せず一定である。
【００５９】
-「規則２」：同一時点にＰｃｅｌｌから送信されるＰＤＳＣＨとSｃｅｌｌから送信されるＰＤＳＣＨにそれぞれ対応されるＨＡＲＱ ＡＣＫ／ＮＡＣＫ送信タイミングは同一である。
【００６０】
-「規則３」：サブフレームｎから送信されたＳｃｅｌｌのＰＤＳＣＨに対応されるＨＡＲＱ ＡＣＫ／ＮＡＣＫ送信タイミングｎ'はサブフレーム ｍ(ｍ＜ｎ)から送信されたＳｃｅｌｌのＰＤＳＣＨに対応されるＨＡＲＱ ＡＣＫ／ＮＡＣＫ送信タイミングｍ'より同一であるとか遅れる(ｍ' ≦ｎ')。端末はＰＤＳＣＨ受信後、 ｎ'＝ｎ＋ｋ、ｍ'＝ｍ＋ｋ(ｋ≧４)である関係を満足するサブフレームのうち、ＰｃｅｌｌのＵＬサブフレームを介してＨＡＲＱ ＡＣＫ／ＮＡＣＫを送信する。ｋは端末のＰＤＳＣＨ受信プロセッシングタイム及びＨＡＲＱ ＡＣＫ／ＮＡＣＫ送信プロセッシングタイムを考慮して少なくとも４以上の値を有する。  -「規則４」：それぞれのＤＬサブフレームから送信されたＰＤＳＣＨに対応されるＨＡＲＱ ＡＣＫ／ＮＡＣＫ送信タイミングはＵＬサブフレームに可能な均等に分布される。
【００６１】
以下、具体的な実施形態を介してダウンリンクデータ送信に係るＰＤＣＣＨ及びＰＤＳＣＨ、アップリンクＨＡＲＱ ＡＣＫ／ＮＡＣＫ相互間のタイミング関係を定義する具体的な方法を説明する。本発明は、キャリアアグリゲーションを介して広帯域を構成する構成キャリアの個数に対して別途の制限なしに適用可能である。
【００６２】
先ず、第１実施形態乃至第３実施形態は、ＰｃｅｌｌのＴＤＤアップリンク−ダウンリンク設定によるＵＬサブフレーム個数がＳｃｅｌｌのＴＤＤアップリンク−ダウンリンク設定によるＵＬサブフレーム個数より多い場合を仮定する。また同一時点でＳｃｅｌｌが ＵＬサブフレームであれば、ＰｃｅｌｌもＵＬサブフレームである設定を仮定する。即ち、 ＵＬサブフレーム観点でＰｃｅｌｌでＵＬサブフレームの位置が常にＳｃｅｌｌでＵＬサブフレームよりｓｕｐｅｒ ｓｅｔである設定を仮定する。
【００６３】
さらに、第４実施形態はＰｃｅｌｌ及びＳｃｅｌｌのＴＤＤアップリンク−ダウンリンク設定に上記のような制約がない場合を仮定する。
【００６４】
＜第１実施形態＞
【００６５】
第１実施例は、キャリアアグリゲーションを介して広帯域を構成するＴＤＤ無線通信システムで、 集合されたキャリアのＴＤＤアップリンク−ダウンリンク設定がキャリア別で他の場合を仮定する。この際、ダウンリンクデータ送信に係るＰＤＣＣＨ、ＰＤＳＣＨ、アップリンクＨＡＲＱ ＡＣＫ／ＮＡＣＫを送信するためのＰＵＣＣＨ相互の間のタイミング関係を「規則１〜３」を適用する方法に対して説明する。
【００６６】
図６は、本発明の第１実施形態によるＰＤＳＣＨとアップリンクＨＡＲＱ ＡＣＫ／ＮＡＣＫのタイミング関係を示した図面である。より詳しく説明すれば、 図６は２個の構成キャリアが集合されたＴＤＤシステムにおいて、ＰｃｅｌｌはＴＤＤアップリンク−ダウンリンク設定＃３(ＴＤＤ ＵＬ／ＤＬ ｃｏｎｆｉｇｕｒａｔｉｏｎ＃３)６０１、ＳｃｅｌｌはＴＤＤアップリンク−ダウンリンク設定＃４(ＴＤＤ ＵＬ／ＤＬ ｃｏｎｆｉｇｕｒａｔｉｏｎ＃４)６０２にそれぞれ設定された例を現わす。ここで「Ｄ」はＤＬ(Ｄｏｗｎ Ｌｉｎｋ)サブフレームを現わし、「Ｕ」はＵＬ(Ｕｐ Ｌｉｎｋ)サブフレームを現わし、 「Ｓ」はスペシャルサブフレームを現わす。
【００６７】
図６でＰｃｅｌｌに対して既存ＬＴＥシステムに定義されたＰＤＣＣＨ及びＰＤＳＣＨとＰＵＣＣＨ間のタイミング関係、 及びＳｃｅｌｌに対して既存ＬＴＥシステムに定義されたＰＤＣＣＨ及びＰＤＳＣＨとＰＵＣＣＨの間のタイミング関係がそれぞれ実線矢印に表示された。即ち、Ｐｃｅｌｌ及びＳｃｅｌｌのそれぞれの実線矢印が現わすタイミング関係はＴＤＤアップリンク−ダウンリンク設定＃３及び＃４に対して定義されたそれぞれのタイミング関係による。
【００６８】
もし、所定のＵＬサブフレームでｘ(ｘ＞０)個のＨＡＲＱ ＡＣＫ／ＮＡＣＫが送信されるようにタイミング関係が定義されている場合、端末が ＵＬサブフレームで送信するＰＵＣＣＨに最大ｘ個のＨＡＲＱ ＡＣＫ／ＮＡＣＫが含まれる。この際、ＵＬサブフレームに対応される一部ＤＬサブフレームで基地局が端末にＰＤＳＣＨをスケジューリングしなかったとか、或いは端末が基地局が送信したＰＤＳＣＨを一部受信できない場合、ＰＵＣＣＨはｙ(ｙ＜ｘ)個のＨＡＲＱ ＡＣＫ／ＮＡＣＫから構成される。
【００６９】
図６で各実線矢印の開始点はＰＤＣＣＨ及びＰＤＳＣＨが送信されるＤＬサブフレームを現わす。さらに、各実線矢印の終着点はＰＵＣＣＨが送信されるＵＬサブフレームを現わす。例えば、Ｐｃｅｌｌからラジオフレームｉ(６０４)のサブフレーム＃７(６１３)とサブフレーム＃８(６１４)でそれぞれ送信されるＰＤＳＣＨに対応されるそれぞれのＨＡＲＱ ＡＣＫ／ＮＡＣＫはＰＵＣＣＨから構成され、Ｐｃｅｌｌのラジオフレームｉ＋１(６０５)のサブフレーム＃３(６１９)から送信される。
【００７０】
Sｃｅｌｌからラジオフレームｉ(６０４)のサブフレーム＃６(６２７)、サブフレーム＃７(６２８)、サブフレーム＃８(６２９)、サブフレーム＃９(６３０)でそれぞれ送信されるＰＤＳＣＨに対応されるそれぞれのＨＡＲＱ ＡＣＫ／ＮＡＣＫを送信するためのＰＵＣＣＨ送信タイミングは、ＴＤＤアップリンク−ダウンリンク設定＃４に対して定義されたタイミング関係によればラジオフレームｉ＋１(６０５)のサブフレーム＃３(６３４)から送信されるべきである。
【００７１】
しかし、ＰＵＣＣＨ送信はＰｃｅｌｌのみ可能であるので、ラジオフレームｉ(６０４)のサブフレーム＃６(６２７)、サブフレーム＃７(６２８)、サブフレーム＃８(６２９)、 サブフレーム＃９(６３０)からそれぞれ送信されるＰＤＳＣＨに対応されるそれぞれのＨＡＲＱ ＡＣＫ／ＮＡＣＫは結局Ｐｃｅｌｌのサブフレーム＃３(６１９)から送信される。
【００７２】
しかし、ＰｃｅｌｌとＳｃｅｌｌそれぞれに定義されたＬＴＥシステムのタイミング関係をそのまま応ずると、同一時点にＰｃｅｌｌとＳｃｅｌｌからＰＤＳＣＨがそれぞれ送信されても、ＰｃｅｌｌのＰＤＳＣＨに対応されるＨＡＲＱ ＡＣＫ／ＮＡＣＫの送信時点とＳｃｅｌｌのＰＤＳＣＨに対応されるＨＡＲＱ ＡＣＫ／ＮＡＣＫの送信時点が互いに一致しないのでシステム作動が複雑で非効率的である。例えば、Ｐｃｅｌｌのラジオフレームｉのサブフレーム＃６(６１２)から送信されたＰＤＳＣＨに対応されるＨＡＲＱ ＡＣＫ／ＮＡＣＫはＰｃｅｌｌのラジオフレームｉ＋１のサブフレーム＃２(６１８)から送信される。しかし、ＰｃｅｌｌのＰＤＳＣＨ送信時点と同一Ｓｃｅｌｌのラジオフレームｉのサブフレーム＃６(６２７)から送信されたＰＤＳＣＨに対応されるＨＡＲＱ ＡＣＫ／ＮＡＣＫはラジオフレームｉ＋１のサブフレーム＃３(６３４)に該当するＰｃｅｌｌのサブフレーム＃３(６１９)から送信される。
【００７３】
このような問題点を解決するために、 本発明はキャリアアグリゲーションされて作動する端末のＨＡＲＱ ＡＣＫ／ＮＡＣＫ送信タイミングは、 上述した「規則１」及び「規則２」に応ずる。
【００７４】
-「規則１」:Ｐｃｅｌｌで端末のＨＡＲＱ ＡＣＫ／ＮＡＣＫ送信タイミングはキャリアアグリゲーション有無と関係せず一定である。
【００７５】
-「規則２」:同一時点を基準でＰｃｅｌｌから送信されるＰＤＳＣＨとＳｃｅｌｌから送信されるＰＤＳＣＨにそれぞれ対応されるＨＡＲＱ ＡＣＫ／ＮＡＣＫ送信タイミングは同一である。
【００７６】
「規則１」は、Ｐｃｅｌｌの場合、ＬＴＥで定義したＴＤＤアップリンク−ダウンリンク設定によるＨＡＲＱ ＡＣＫ／ＮＡＣＫ送信タイミングをそのまま維持してキャリアアグリゲーション有無と関係せず管理することを意味する。さらに、「規則２」はＳｃｅｌｌから送信されるＰＤＳＣＨに対応されるＨＡＲＱ ＡＣＫ／ＮＡＣＫ送信タイミングをＳｃｅｌｌのＴＤＤアップリンク−ダウンリンク設定と関係せずＳｃｅｌｌと結合されたＰｃｅｌｌのＨＡＲＱ ＡＣＫ／ＮＡＣＫ送信タイミングによるということを意味する。
【００７７】
ところで、ＳｃｅｌｌのどんなＤＬサブフレームに「規則２」を適用するために参照するＰｃｅｌｌのＨＡＲＱ ＡＣＫ／ＮＡＣＫ送信タイミングがないことがある。即ち、図６の例で、Ｓｃｅｌｌのサーフプレ＃４(６２５)はＤＬサブフレームであるが、同一時点にＰｃｅｌｌのサブフレーム＃４(６１０)はＵＬサブフレームである。従って、Ｓｃｅｌｌのサーフプレ＃４(６２５)に送信されたＰＤＳＣＨに対応されるＨＡＲＱ ＡＣＫ／ＮＡＣＫ送信タイミングをＰｃｅｌｌのサブフレーム＃４(６１０)から参照することができない。ここにＳｃｅｌｌのＤＬサブフレームに対応されるＨＡＲＱ ＡＣＫ／ＮＡＣＫ送信タイミングは「規則３」を適用して新しく定義される。
【００７８】
-「規則３」：サブフレームｎから送信されたＳｃｅｌｌのＰＤＳＣＨに対応されるＨＡＲＱ ＡＣＫ／ＮＡＣＫ送信タイミングｎ'はサブフレームｍ(ｍ＜ｎ)から送信されたＳｃｅｌｌのＰＤＳＣＨに対応されるＨＡＲＱ ＡＣＫ／ＮＡＣＫ送信タイミングｍ'より同一であったり遅れる(ｍ'≦ ｎ')。端末は、ＰＤＳＣＨ受信後、ｎ' ＝ ｎ＋ｋ、 ｍ'＝ｍ＋ｋ(ｋ≧４)である関係を満足するサブフレームのうちＰｃｅｌｌのＵＬサブフレームを介してＨＡＲＱ ＡＣＫ／ＮＡＣＫを送信する。ｋは端末のＰＤＳＣＨ受信プロセッシングタイム及びＨＡＲＱ ＡＣＫ／ＮＡＣＫ送信プロセッシングタイムを考慮して少なくとも４ 以上の値を有する。
【００７９】
「規則３」が適用されると、Ｓｃｅｌｌからラジオフレームｉのサブフレーム＃４(６２５)から送信されるＰＤＳＣＨに対応されるＨＡＲＱ ＡＣＫ／ＮＡＣＫ送信タイミングはサブフレーム＃４(６２５)の最も近い前後ＤＬサブフレームに該当するＰｃｅｌｌのサブフレーム＃１(６０７)、 サブフレーム＃５(６１１)に対応されるＨＡＲＱ ＡＣＫ／ＮＡＣＫ送信タイミングを参照して決定する。Ｐｃｅｌｌのサブフレーム＃１(６０７)に対応されるＨＡＲＱ ＡＣＫ／ＮＡＣＫ送信タイミングはラジオフレームｉ＋１のサブフレーム＃２(６１８)であり、サブフレーム＃５(６１１)に対応されるＨＡＲＱ ＡＣＫ／ＮＡＣＫ送信タイミングもラジオフレームｉ＋１のサブフレーム＃２(６１８)となる。従って、「規則３」を満足するＳｃｅｌｌでラジオフレームｉのサブフレーム＃４(６２５)を介して送信されるＰＤＳＣＨに対応されるＨＡＲＱ ＡＣＫ／ＮＡＣＫ送信タイミングはラジオフレームｉ＋１のサブフレーム＃２(６１８)となる。もし、Ｓｃｅｌｌのサブフレーム＃４(６２５)から送信されるＰＤＳＣＨをＰｃｅｌｌでクロスキャリアスケジューリングする場合、サブフレーム＃４(６２５)から最も近いＰｃｅｌｌのＤＬサブフレームであるサブフレーム＃１(６０７)からＰＤＣＣＨを送信する。Ｐｃｅｌｌのサブフレーム＃１(６０７)から送信されるＰＤＣＣＨはＳｃｅｌｌのサブフレーム＃１(６２２)から送信されるＰＤＳＣＨをスケジューリングするか、 或いはＳｃｅｌｌのサブフレーム＃４(６２５)から送信されるＰＤＳＣＨをスケジューリングするのか否かを区分する識別子を含む。
【００８０】
また、「規則３」は以下のように変形されることができる。
【００８１】
ＳｃｅｌｌのＰＤＳＣＨが送信される時点と同一時点にＰｃｅｌｌのサブフレームがアップリンクサブフレームと設定されると、ＳｃｅｌｌのＰＤＳＣＨに対応される端末のＨＡＲＱ ＡＣＫ／ＮＡＣＫはＳｃｅｌｌのＴＤＤアップリンク−ダウンリンク設定によって定義されたＨＡＲＱ ＡＣＫ／ＮＡＣＫタイミングに応じてＰｃｅｌｌで送信される。この場合、ＨＡＲＱ ＡＣＫ／ＮＡＣＫが送信される時点のＰｃｅｌｌのサブフレームはアップリンクサブフレームである。
【００８２】
結局、「規則 １」、「規則２」、「規則３」を総合的に適用すると、本発明が提案するＳｃｅｌｌのＰＤＳＣＨに対応されるＨＡＲＱ ＡＣＫ／ＮＡＣＫ送信タイミングは図６の点線矢印で表示することができる。
【００８３】
図６は、クロスキャリアスケジューリングの場合を仮定して説明したが、これに限定されない。「規則１」、「規則２」、「規則 ３」が総合的に適用されると、セルフスケジューリングの場合にもクロスキャリアスケジューリングの場合と同一にＨＡＲＱ ＡＣＫ／ＮＡＣＫ送信タイミングを決定する。図６の例示で、Ｐｃｅｌｌの「Ｄ」或いは「Ｓ」サブフレームで開始してＳｃｅｌｌの「Ｄ」或いは「Ｓ」サブフレームで終了する点線矢印はＰｃｅｌｌの「Ｄ」或いは「Ｓ」サブフレームから送信されたＰＤＣＣＨがＳｃｅｌｌの「Ｄ」或いは「Ｓ」サブフレームから送信されるＰＤＳＣＨをクロスキャリアスケジューリングする作動を現わす。また、Ｓｃｅｌｌの「Ｄ」 或いは「Ｓ」サブフレームで開始しＰｃｅｌｌの「Ｕ」サブフレームで終了する点線矢印はＳｃｅｌｌの「Ｄ」或いは「Ｓ」サブフレームから送信されたＰＤＳＣＨに対応されるＨＡＲＱ ＡＣＫ／ＮＡＣＫがＰｃｅｌｌの「Ｕ」サブフレームから送信される作動を現わす。
【００８４】
例えば、Ｐｃｅｌｌのラジオフレームｉのサブフレーム＃１(６０７)でＰＤＣＣＨが送信されてＳｃｅｌｌをクロスキャリアスケジューリングすると、Ｓｃｅｌｌのラジオフレームｉのサブフレーム＃１(６２２)でＰＤＳＣＨが送信されて、ＳｃｅｌｌのＰＤＳＣＨに対応されるＨＡＲＱ ＡＣＫ／ＮＡＣＫは「規則 ２」によってＰｃｅｌｌのサブフレーム＃１(６０７)に対応されるＨＡＲＱ ＡＣＫ／ＮＡＣＫ送信タイミングに応じて、Ｐｃｅｌｌからラジオフレームｉ＋１のサブフレーム＃２(６１８)を介して送信される。
【００８５】
もし、Ｐｃｅｌｌのラジオフレームｉのサブフレーム＃１(６０７)から送信されたＰＤＣＣＨがＳｃｅｌｌからラジオフレームｉのサブフレーム＃４(６２５)を介して送信されるＰＤＳＣＨをクロスキャリアスケジューリングすると、ＳｃｅｌｌのＰＤＳＣＨに対応されるＨＡＲＱ ＡＣＫ／ＮＡＣＫは「規則３」によってＰｃｅｌｌからラジオフレームｉ＋１のサブフレーム＃２(６１８)を介して送信される。この場合、Ｓｃｅｌｌのサブフレーム＃４(６２５)はＤＬサブフレームであるが、同一時点にＰｃｅｌｌのサブフレーム＃４(６１０)はＵＬサブフレームである。従って、Ｓｃｅｌｌのサブフレーム＃４(６２５)から送信されるＰＤＳＣＨをクロスキャリアスケジューリングするためのＰＤＣＣＨはサブフレーム＃４(６２５)から最も近いＰｃｅｌｌのＤＬサブフレームであるサブフレーム＃１(６０７)から送信される。さらに、Ｐｃｅｌｌから送信されるＰＤＳＣＨに対応されるＨＡＲＱ ＡＣＫ／ＮＡＣＫ送信タイミングは 「規則 １」によって予め定義されたＴＤＤアップリンク−ダウンリンク設定＃３によるＨＡＲＱ ＡＣＫ／ＮＡＣＫ送信タイミングをそのまま維持する。
【００８６】
第１実施形態のＨＡＲＱ ＡＣＫ／ＮＡＣＫ送信タイミングを表に整理すれば以下の表４のように現わすことができる。端末は基地局からサブフレームｎ−ｊに送信されたＰＤＳＣＨを受信すると、アップリンクサブフレームｎを介してＰＤＳＣＨに対するアップリンクＨＡＲＱ ＡＣＫ／ＮＡＣＫ送信をする。この際、ｊは集合Jの構成元素として、Jは表４に定義された通りである。表４においてＰｃｅｌｌがＴＤＤアップリンク−ダウンリンク設定＃３であり、ＳｃｅｌｌがＴＤＤアップリンク−ダウンリンク設定＃４であり、Ｐｃｅｌｌ及びＳｃｅｌｌでそれぞれ送信されるＰＤＳＣＨに対応されるそれぞれのＨＡＲＱ ＡＣＫ／ＮＡＣＫはＰｃｅｌｌから送信されることを仮定する。
【００８７】
【表４】
2014519757.tif 000006
【００８８】
＜第２実施形態＞
【００８９】
第２実施例はキャリアアグリゲーションを介して広帯域を構成するＴＤＤ無線通信システムで、 集合されたキャリアのＴＤＤアップリンク−ダウンリンク設定がキャリア別で異なる時、 ダウンリンクデータ送信に係るＰＤＣＣＨ、ＰＤＳＣＨ、アップリンクＨＡＲＱ ＡＣＫ／ＮＡＣＫを送信するためのＰＵＣＣＨ相互の間のタイミング関係を「規則１〜４」に適用して定義する方法に対する説明である。
【００９０】
図７は、２個の構成キャリアが結合されたＴＤＤシステムとして、Ｐｃｅｌｌ７０１はＴＤＤアップリンク−ダウンリンク設定＃６、Ｓｃｅｌｌ７０２はＴＤＤアップリンク−ダウンリンク設定＃２にそれぞれ設定された例を現わす。図７は、Ｐｃｅｌｌに対して既存ＬＴＥシステムに定義されたＰＤＣＣＨ及びＰＤＳＣＨとＰＵＣＣＨの間のタイミング関係及びＳｃｅｌｌに対して既存ＬＴＥシステムに定義されたＰＤＣＣＨ及びＰＤＳＣＨとＰＵＣＣＨの間のタイミング関係をそれぞれ実線矢印と表示する。それぞれの実線矢印の開始点はＰＤＣＣＨ及びＰＤＳＣＨが送信されるＤＬサブフレームを現わし、 それぞれの実線矢印の終着点はＰＵＣＣＨが送信されるＵＬサブフレームを現わす。
【００９１】
図７は本発明の第２実施形態によるＰＤＳＣＨとアップリンクＨＡＲＱ ＡＣＫ／ＮＡＣＫのタイミング関係を示した図面である。
【００９２】
図７を参照すれば、ＳｃｅｌｌのＰＤＳＣＨに対応されるＨＡＲＱ ＡＣＫ／ＮＡＣＫ送信タイミングは点線矢印で現わす。ここでクロスキャリアスケジューリングを仮定して説明するが、ここに限定されない。即ち、セルフスケジューリングの場合にもクロスキャリアスケジューリングの場合と同一にＨＡＲＱ ＡＣＫ／ＮＡＣＫ送信タイミングを決定することができる。
【００９３】
ここでＰｃｅｌｌの「Ｄ」 或いは「Ｓ」サブフレームで開始してＳｃｅｌｌの「Ｄ」 或いは「Ｓ」サブフレームで終了される点線矢印はＰｃｅｌｌの「Ｄ」 或いは 「Ｓ」 サブフレームから送信されたＰＤＣＣＨがＳｃｅｌｌの「Ｄ」或いは「Ｓ」サブフレームから送信されるＰＤＳＣＨをクロスキャリアスケジューリングする作動を現わす。また、Ｓｃｅｌｌの「Ｄ」 或いは「Ｓ」サブフレームで開始してＰｃｅｌｌの「Ｕ」サブフレームで終了される点線矢印はＳｃｅｌｌの「Ｄ」或いは「Ｓ」サブフレームから送信されたＰＤＳＣＨに対応されるＨＡＲＱ ＡＣＫ／ＮＡＣＫがＰｃｅｌｌの「Ｕ」サブフレームから送信される作動を現わす。
【００９４】
図７で「規則 １」によってＰｃｅｌｌの場合、予め定義されたＴＤＤアップリンク−ダウンリンク設定＃６によるＨＡＲＱ ＡＣＫ／ＮＡＣＫ送信タイミングがそのまま維持されてキャリアアグリゲーション有無と関係せず管理される。さらに、「規則 ２」によってＳｃｅｌｌから送信されるＰＤＳＣＨに対応されるＨＡＲＱ ＡＣＫ／ＮＡＣＫ送信タイミングは、ＳｃｅｌｌのＴＤＤアップリンク−ダウンリンク設定と関係せずＳｃｅｌｌと結合されたＰｃｅｌｌのＨＡＲＱ ＡＣＫ／ＮＡＣＫ送信タイミングに応ずる。
【００９５】
Ｐｃｅｌｌからラジオフレームｉのサブフレーム＃１(７０７)を介してＰＤＣＣＨが送信されてＳｃｅｌｌをクロスキャリアスケジューリングすると、Ｓｃｅｌｌからラジオフレームｉのサブフレーム＃１(７２２)でＰＤＳＣＨが送信される。さらに、ＳｃｅｌｌのＰＤＳＣＨに対応されるＨＡＲＱ ＡＣＫ／ＮＡＣＫは「規則 ２」によってＰｃｅｌｌのサブフレーム＃１(７０７)に対応されるＨＡＲＱ ＡＣＫ／ＮＡＣＫ送信タイミングに応じて、Ｐｃｅｌｌからラジオフレームｉのサブフレーム＃８(７１４)から送信される。
【００９６】
Ｐｃｅｌｌからラジオフレームｉのサブフレーム＃１(７０７)を介して送信されたＰＤＣＣＨがＳｃｅｌｌからラジオフレームｉのサブフレーム＃３(７２４)を介して送信されるＰＤＳＣＨをクロスキャリアスケジューリングすると、ＳｃｅｌｌのＰＤＳＣＨに対応されるＨＡＲＱ ＡＣＫ／ＮＡＣＫは「規則３」によってすぐ直前ＤＬサブフレームであるＳｃｅｌｌのサブフレーム＃１(７２２)から送信されるＰＤＳＣＨに対応されるＨＡＲＱ ＡＣＫ／ＮＡＣＫ送信タイミングであるサブフレーム＃８(７１４)より早くない。従って、Ｓｃｅｌｌからラジオフレームｉのサブフレーム＃３(７２４)を介して送信されるＰＤＳＣＨに対応されるＨＡＲＱ ＡＣＫ／ＮＡＣＫはＰｃｅｌｌからラジオフレームｉのサブフレーム＃８(７１４)から送信される。
【００９７】
Ｐｃｅｌｌからラジオフレームｉのサブフレーム＃１(７０７)から送信されたＰＤＣＣＨがＳｃｅｌｌからラジオフレームｉのサブフレーム＃４(７２５)を介して送信されるＰＤＳＣＨをクロスキャリアスケジューリングする。すると、ＳｃｅｌｌのＰＤＳＣＨに対応されるＨＡＲＱ ＡＣＫ／ＮＡＣＫは「規則３」によってすぐ直前ＤＬサブフレームであるＳｃｅｌｌのサブフレーム＃３(７２４)から送信されるＰＤＳＣＨに対応されるＨＡＲＱ ＡＣＫ／ＮＡＣＫ送信タイミングであるサブフレーム＃８(７１４)より早くないから、Ｐｃｅｌｌのラジオフレームｉ＋１のサブフレーム＃８(７１４)から送信される。
【００９８】
Ｐｃｅｌｌでラジオフレームｉのサブフレーム＃５(７１１)を介してＰＤＣＣＨが送信されてＳｃｅｌｌをクロスキャリアスケジューリングすると、Ｓｃｅｌｌでラジオフレームｉのサブフレーム＃５(７２６)を介してＰＤＳＣＨが送信される。さらに、ＳｃｅｌｌのＰＤＳＣＨに対応されるＨＡＲＱ ＡＣＫ／ＮＡＣＫは「規則 ２」によってＰｃｅｌｌのサブフレーム＃５(７１１)に対応されるＨＡＲＱ ＡＣＫ／ＮＡＣＫ送信タイミングに応じて、Ｐｃｅｌｌからラジオフレームｉ＋１のサブフレーム＃２(７１８)を介して送信される。
【００９９】
Ｐｃｅｌｌからラジオフレームｉのサブフレーム＃６(７１２)を介してＰＤＣＣＨが送信されてＳｃｅｌｌをクロスキャリアスケジューリングすると、Ｓｃｅｌｌからラジオフレームｉのサブフレーム＃６(７２７)でＰＤＳＣＨが送信される。さらに、ＳｃｅｌｌのＰＤＳＣＨに対応されるＨＡＲＱ ＡＣＫ／ＮＡＣＫは「規則 ２」によってＰｃｅｌｌのサブフレーム＃５(７１１)に対応されるＨＡＲＱ ＡＣＫ／ＮＡＣＫ送信タイミングに応じて、Ｐｃｅｌｌのラジオフレームｉ＋１でサブフレーム＃３(７１９)を介して送信される。
【０１００】
Ｐｃｅｌｌでラジオフレームｉのサブフレーム＃６(７１２)を介して送信されたＰＤＣＣＨがＳｃｅｌｌからラジオフレームｉのサブフレーム＃８(７２９)に送信されるＰＤＳＣＨをクロスキャリアスケジューリングする。すると、ＳｃｅｌｌのＰＤＳＣＨに対応されるＨＡＲＱ ＡＣＫ／ＮＡＣＫは「規則３」によってすぐ直前ＤＬサブフレームであるＳｃｅｌｌのサブフレーム＃６(７２７)から送信されるＰＤＳＣＨに対応されるＨＡＲＱ ＡＣＫ／ＮＡＣＫ送信タイミングであるサブフレーム＃３(７１９)より早くないから、Ｐｃｅｌｌのラジオフレームｉ＋１のサブフレーム＃３(７１９)から送信される。
【０１０１】
このようにＨＡＲＱ ＡＣＫ／ＮＡＣＫ送信タイミングが定義されると、ＰｃｅｌｌでそれぞれのＵＬサブフレームを介してＳｃｅｌｌのＰＤＳＣＨに対応されるＨＡＲＱ ＡＣＫ／ＮＡＣＫ個数の分布は(ＵＬサブフレーム＃２:ＵＬサブフレーム＃３:ＵＬサブフレーム＃４:ＵＬサブフレーム＃７:ＵＬサブフレーム＃８)＝(１:２:１:１:３)でＵＬサブフレーム＃８から送信されるＨＡＲＱ ＡＣＫ／ＮＡＣＫ個数が相対的に多くなる不均衡が発生する。従って、ＨＡＲＱ ＡＣＫ／ＮＡＣＫを送信するためのリソース活用の効率性が落ちる。
【０１０２】
このような問題点を解決するために、「規則１〜３」に「規則４」が追加的に適用されて、ＨＡＲＱ ＡＣＫ／ＮＡＣＫ送信タイミングがラジオフレーム内のＵＬサブフレームに可能な均等に分布されるようにＨＡＲＱ ＡＣＫ／ＮＡＣＫタイミング決定される。
【０１０３】
−「規則４」:それぞれのＤＬサブフレームで送信されたＰＤＳＣＨに対応されるＨＡＲＱ ＡＣＫ／ＮＡＣＫ送信タイミングはＵＬサブフレームに可能な均等に分布される。
【０１０４】
「規則４」がスケジューリング方法に適用されることによって、特定ＵＬサブフレームから送信されるＨＡＲＱ ＡＣＫ／ＮＡＣＫの個数が過度に多くなることを防止する。即ち、Ｓｃｅｌｌのラジオフレームｉのサブフレーム＃４(７２５)から送信されたＰＤＳＣＨに対応されるＨＡＲＱ ＡＣＫ／ＮＡＣＫはＰｃｅｌｌからラジオフレームｉ＋１のサブフレーム＃２(７１８)から送信されることができる。
【０１０５】
このような過程によってＨＡＲＱ ＡＣＫ／ＮＡＣＫ送信タイミングが定義されることによって、ＰｃｅｌｌのそれぞれＵＬサブフレームとＳｃｅｌｌで送信されたＰＤＳＣＨに対応されるＨＡＲＱ ＡＣＫ／ＮＡＣＫ個数の分布は(ＵＬサブフレーム＃２:ＵＬサブフレーム＃３:ＵＬサブフレーム＃４:ＵＬサブフレーム＃７:ＵＬサブフレーム＃８) ＝(２:２:１:１:２)で可能な均等に分布する。これは図７に図示したようにＰｃｅｌｌの各ＵＬサブフレーム別で点線矢印が到着する個数である。さらに、Ｐｃｅｌｌの各ＵＬサブフレームを基準に送信されたＰＤＳＣＨに対応されるＨＡＲＱ ＡＣＫ／ＮＡＣＫ個数の分布は(ＵＬサブフレーム＃２:ＵＬサブフレーム＃３:ＵＬサブフレーム＃４:ＵＬサブフレーム＃７:ＵＬサブフレーム＃８)＝(１:１:１:１:１)である。
【０１０６】
従って、Ｐｃｅｌｌの各ＵＬサブフレームを基準でＰｃｅｌｌ及びＳｃｅｌｌから送信されたＰＤＳＣＨに対応されるＨＡＲＱ ＡＣＫ／ＮＡＣＫ個数の全て分布は(ＵＬサブフレーム＃２:ＵＬサブフレーム＃３:ＵＬサブフレーム＃４:ＵＬサブフレーム＃７:ＵＬサブフレーム＃８)＝(３:３:２:２:３)で可能な均等に分布する。
【０１０７】
第２実施形態のＨＡＲＱ ＡＣＫ／ＮＡＣＫ送信タイミングを表に整理すると、以下の表５のように現わすことができる。端末は基地局からサブフレームｎ−ｊに送信されたＰＤＳＣＨを受信すると、アップリンクサブフレームｎでＰＤＳＣＨに対するアップリンクＨＡＲＱ ＡＣＫ／ＮＡＣＫを送信する。この際、ｊは集合Jの構成元素として、 Jは表５に定義された通りである。表５でＰｃｅｌｌがＴＤＤアップリンク−ダウンリンク設定＃６であり、ＳｃｅｌｌがＴＤＤアップリンク−ダウンリンク設定＃２であり、Ｐｃｅｌｌ及びＳｃｅｌｌでそれぞれ送信されるＰＤＳＣＨに対応されるそれぞれのＨＡＲＱ ＡＣＫ／ＮＡＣＫはＰｃｅｌｌから送信されることを仮定する。
【０１０８】
【表５】
2014519757.tif 000007
【０１０９】
＜第３実施形態＞
【０１１０】
図８は、本発明の第３実施形態によるＰＤＳＣＨとアップリンクＨＡＲＱ ＡＣＫ／ＮＡＣＫのタイミング関係を示した図面である。この際、図８は前述した第２実施形態をより明確に説明するためのことで、 ２個の構成キャリアが結合されたＴＤＤシステムでＰｃｅｌｌ８０１はＴＤＤアップリンク−ダウンリンク設定＃０、Ｓｃｅｌｌ８０２はＴＤＤアップリンク−ダウンリンク設定＃２にそれぞれ設定された例を現わす。さらに、「規則１〜３」に「規則４」を追加的に適用してＨＡＲＱ ＡＣＫ／ＮＡＣＫ送信タイミングをラジオフレーム内のＵＬサブフレームに可能な均等に分布されるように定義する。
【０１１１】
この場合、ＨＡＲＱ ＡＣＫ／ＮＡＣＫ送信タイミングを表に整理すると、以下の表６のように現わす。端末は基地局からサブフレーム ｎ−ｊに送信されたＰＤＳＣＨを受信すると、アップリンクサブフレームｎにＰＤＳＣＨに対するアップリンクＨＡＲＱ ＡＣＫ／ＮＡＣＫを送信する。この際、ｊは集合Jの構成元素であり、Jは表６に定義された通りである。
【０１１２】
表６でＰｃｅｌｌがＴＤＤアップリンク−ダウンリンク設定＃０であり、ＳｃｅｌｌがＴＤＤアップリンク−ダウンリンク設定＃２であり、Ｐｃｅｌｌ及びＳｃｅｌｌでそれぞれ送信されるＰＤＳＣＨに対応されるそれぞれのＨＡＲＱ ＡＣＫ／ＮＡＣＫがＰｃｅｌｌから送信されることを仮定する。
【０１１３】
【表６】
2014519757.tif 000008
【０１１４】
上記の如きＨＡＲＱ ＡＣＫ／ＮＡＣＫ送信タイミングが定義されることによって、Ｐｃｅｌｌの各ＵＬサブフレームを基準でＳｃｅｌｌから送信されるＰＤＳＣＨに対応されるＨＡＲＱ ＡＣＫ／ＮＡＣＫ個数の分布は(ＵＬサブフレーム＃２:ＵＬサブフレーム＃３:ＵＬサブフレーム＃４:ＵＬサブフレーム＃７:ＵＬサブフレーム＃８:ＵＬサブフレーム＃９)＝(１:２:１:１:２:１)で可能な均等に分布する。これは図８でＰｃｅｌｌの各ＵＬサブフレーム別に点線矢印が到着する個数と同一である。
【０１１５】
さらに、Ｐｃｅｌｌで各ＵＬサブフレームを基準でＰｃｅｌｌから送信されたＰＤＳＣＨに対応されるＨＡＲＱ ＡＣＫ／ＮＡＣＫ個数の分布は(ＵＬサブフレーム＃２:ＵＬサブフレーム＃３:ＵＬサブフレーム＃４:ＵＬサブフレーム＃７:ＵＬサブフレーム＃８:ＵＬサブフレーム＃９)＝(１:０:１:１:０:１)である。
【０１１６】
従って、Ｐｃｅｌｌの各ＵＬサブフレームを基準でＰｃｅｌｌ及びＳｃｅｌｌから送信されたＰＤＳＣＨに対応されるＨＡＲＱ ＡＣＫ／ＮＡＣＫ個数の全て分布は(ＵＬサブフレーム＃２:ＵＬサブフレーム＃３:ＵＬサブフレーム＃４:ＵＬサブフレーム＃７:ＵＬサブフレーム＃８:ＵＬサブフレーム＃９)＝(２:２:２:２:２:２)で可能な均等に分布する。
【０１１７】
図９は、本発明の第１、２、３実施形態による基地局手続きを示した図面である。
【０１１８】
図９を参照して、本発明の基地局の作動手順を概略的に整理すれば以下の通りである。第１セル(Ｐｃｅｌｌ)または第２セル(Sｃｅｌｌ)うちのなくとも一つのセルに対するダウンリンク物理チャンネルを端末に送信する段階と、第１セルのダウンリンク物理チャンネルに対するアップリンク物理チャンネルを第１セルに対して予め設定された時点で受信する第１受信段階と、上記第２セルのダウンリンク物理チャンネルに対するアップリンク物理チャンネルを第１セルのアップリンク物理チャンネル受信時点によって受信する第２ 受信段階を含む。この場合、 第２受信段階は上述した規則１乃至規則３に応ずることができる。
【０１１９】
上記の本発明の基地局手続きを図９を参照して具体的に説明する 。
【０１２０】
基地局は９０１段階でＰＤＳＣＨを送信する時点をサブフレームｎと設定する。さらに、基地局は９０３段階でＰＤＳＣＨをＰｃｅｌｌから送信するか、或いはＳｃｅｌｌから送信するか、或いはＰｃｅｌｌとＳｃｅｌｌ共に送信するか否かを判断する。
【０１２１】
もし、ＰｃｅｌｌからＰＤＳＣＨが送信されると、基地局は９０５段階でＰｃｅｌｌのサブフレームｎからＰＤＳＣＨとＰＤＳＣＨをスケジューリングするためのＰＤＣＣＨを端末から送信する。以後、基地局は９０７段階でＰｃｅｌｌのＴＤＤアップリンク−ダウンリンク設定(ＴＤＤ ＵＬ／ＤＬ ｃｏｎｆｉｇｕｒａｔｉｏｎ)に対して従来ＬＴＥシステムで定義されたＨＡＲＱ ＡＣＫ／ＮＡＣＫ送信タイミングに応じてＰｃｅｌｌのＵＬサブフレームでＰＤＳＣＨに対応されるＨＡＲＱ ＡＣＫ／ＮＡＣＫを受信する(規則１)。次に基地局は９０９段階で受信されたＨＡＲＱ ＡＣＫ／ＮＡＣＫに応じてデータ再送信及び新規データ送信するか否かを判断する。即ち、ＡＣＫが受信されると基地局は端末で新規データを送信する。さらに、ＮＡＣＫが受信されると、基地局は端末でＰＤＳＣＨを再送信する。
【０１２２】
もし、上記９０３段階でＳｃｅｌｌからＰＤＳＣＨが送信されると、基地局は９１１段階でＰＤＳＣＨが送信される時点であるサブフレームｎでＰｃｅｌｌとＳｃｅｌｌの各サブフレーム状態を確認する。
【０１２３】
確認結果、ＰｃｅｌｌがＤＬサブフレームであるか、 スペシャルサブフレームであり、ＳｃｅｌｌがＤＬサブフレームやスペシャルサブフレームであれば、基地局は９１３段階でＰＤＣＣＨをＰｃｅｌｌ或いはＳｃｅｌｌのサブフレームｎから送信する。さらに、ＰＤＳＣＨはＳｃｅｌｌのサブフレームｎを介して送信される。この際、セルフスケジューリングであれば、基地局はＰＤＣＣＨをＳｃｅｌｌのサブフレームｎを介して送信する。さらに、クロスキャリアスケジューリングであれば、基地局はＰＤＣＣＨをＰｃｅｌｌのサブフレームｎを介して送信する。以後、基地局は９０７段階でＰＤＳＣＨに対応されるＨＡＲＱ ＡＣＫ／ＮＡＣＫを受信するための手続きを実行する(「規則１、２」)。
【０１２４】
もし、９１１段階の確認結果、ＰｃｅｌｌがＵＬサブフレームであり、ＳｃｅｌｌがＤＬサブフレームやスペシャルサブフレームであれば、基地局は９１５段階でＰＤＣＣＨをＰｃｅｌｌのサブフレームｎ以前の最も近いＤＬサブフレームを介して送信する。または基地局はＰＤＣＣＨをＳｃｅｌｌのサブフレームｎから送信する。次に基地局はＰＤＳＣＨをＳｃｅｌｌのサブフレームｎを介して送信する。この際、セルフスケジューリングであれば、基地局はＰＤＣＣＨをＳｃｅｌｌのサブフレームｎから送信し、クロスキャリアスケジューリングであれば、 基地局はＰＤＣＣＨをＰｃｅｌｌでサブフレームｎ以前の最も近いＤＬサブフレームを介して送信する。以後、基地局は９１７段階で第１実施形態で上述した「規則３」によって定義されたＨＡＲＱ ＡＣＫ／ＮＡＣＫ送信タイミングに応じて、さらに第２実施形態で上述した「規則 ３、 ４」によって定義されたＨＡＲＱ ＡＣＫ／ＮＡＣＫ送信タイミングに応じて、ＰｃｅｌｌのＵＬサブフレームを介してＨＡＲＱ ＡＣＫ／ＮＡＣＫを受信する。さらに、基地局は９０９段階で受信されたＨＡＲＱ ＡＣＫ／ＮＡＣＫによってデータ再送信するか否かを判断することができる。即ち、ＡＣＫが受信されると、基地局は端末に新規データを送信する。さらに、ＮＡＣＫが受信されると、基地局は端末にＰＤＳＣＨを再送信する。この際、基地局はさらに９０１段階から再実行する。
【０１２５】
９０３段階でＰｃｅｌｌとＳｃｅｌｌで共にＰＤＳＣＨが送信されると、 基地局でＰｃｅｌｌのＰＤＳＣＨ送信手続きは９０５段階及び以後の段階によって進行される（図示せず）。さらに、基地局でＳｃｅｌｌのＰＤＳＣＨ送信手続きは９１１段階及び以後の段階によってそれぞれ進行される。
【０１２６】
図１０は、本発明の第１、２、３実施形態による端末手続きを示した図面である。
【０１２７】
まず、本発明で端末の動作手順を概略的に整理すると、 第１セルまたは第２セルのうちの少なくとも一つのセルに対するダウンリンク物理チャンネルを基地局から受信する受信段階と、第１セルに対するアップリンク物理チャンネルを第１セルに対して予め設定された時点から送信する第１送信段階と、第２セルに対するアップリンク物理チャンネルを第１ セルのアップリンク物理チャンネル送信時点によって送信する第２送信段階を含むことを特徴とする。ここで第２送信段階は上述した規則１乃至規則３に応ずることができる。
【０１２８】
上記の本発明の端末手続きを図１０を参照して具体的に説明する。
【０１２９】
図１０を参照すれば、 端末は１００１段階で基地局からサブフレームｍを介してＰＤＣＣＨを受信する。端末は基地局がどの時点にどの構成キャリアでＰＤＣＣＨを送信するか予め分からない。従って、端末は毎サブフレームごとにすべての結合された構成キャリアに対してＰＤＣＣＨに対する検出を試みる。より詳しく、端末は受信したＰＤＣＣＨに対して自らに割り当てられた固有のＵＥ−ＩＤでＣＲＣチェックをして、ＣＲＣチェックを通過すれば当該ＰＤＣＣＨが自らのスケジューリング情報なのを認知する。
【０１３０】
端末は、１００３段階で受信されたＰＤＣＣＨがＰｃｅｌｌのＰＤＳＣＨをスケジューリングするのか、或いはＳｃｅｌｌのＰＤＳＣＨをスケジューリングするのか、 或いはＰｃｅｌｌとＳｃｅｌｌのＰＤＳＣＨを共にスケジューリングするのか否かを判断する。もし、受信されたＰＤＣＣＨがＰｃｅｌｌのＰＤＳＣＨをスケジューリングするものであれば、端末は１００５段階でＰｃｅｌｌのサブフレームｍでＰＤＳＣＨを受信する。さらに、端末は１００７段階でＰｃｅｌｌのＴＤＤアップリンク−ダウンリンク設定(ＴＤＤ ＵＬ／ＤＬ ｃｏｎｆｉｇｕｒａｔｉｏｎ)に対して従来ＬＴＥシステムで定義されたＨＡＲＱ ＡＣＫ／ＮＡＣＫ送信タイミングに応じてＰｃｅｌｌのＵＬサブフレームで上記ＰＤＳＣＨに対応されるＨＡＲＱ ＡＣＫ／ＮＡＣＫを送信する(「規則１」)。端末は以後１００１段階の手続きを再実行する。
【０１３１】
もし、１００３段階で受信されたＰＤＣＣＨがＳｃｅｌｌのＰＤＳＣＨをスケジューリングするものであれば、 端末は１０１１段階でＰＤＳＣＨの基地局送信時点であるサブフレームｎでＰｃｅｌｌとＳｃｅｌｌの各サブフレーム状態を確認する。確認結果、ＰｃｅｌｌがＤＬサブフレームであるかスペシャルサブフレームであり、ＳｃｅｌｌがＤＬサブフレームであるかスペシャルサブフレームであれば、 端末は１０１３段階でＰＤＳＣＨをＳｃｅｌｌのサブフレームｍで受信する。この際、ｍ＝ｎである場合で、 ＰＤＣＣＨとＰＤＣＣＨが同一サブフレームで受信される。以後、端末はＰＤＳＣＨに対応されるＨＡＲＱ ＡＣＫ／ＮＡＣＫを送信するための手続きを１００７段階の手続きによって進行する(「規則１、２」)。
【０１３２】
もし、１０１１段階でＰｃｅｌｌがＵＬサブフレームであり、ＳｃｅｌｌがＤＬサブフレームやスペシャルサブフレームであれば、 端末は１０１５段階でＰＤＳＣＨをＳｃｅｌｌのサブフレームｎに受信する。この際、ｍ＜ｎである場合で、ＰＤＣＣＨを受信したサブフレームより以後に位置したサブフレームでＰＤＳＣＨが受信される。以後端末は１０１７段階で第１実施形態の場合、上述した「規則３」によって定義されたＨＡＲＱ ＡＣＫ／ＮＡＣＫ送信タイミングに応じて、 さらに第２実施例の場合、上述した「規則３、４」によって定義されたＨＡＲＱ ＡＣＫ／ＮＡＣＫ送信タイミングに応じて、ＰｃｅｌｌのＵＬサブフレームでＰＤＳＣＨに対応されるＨＡＲＱ ＡＣＫ／ＮＡＣＫを送信する。端末は以後 １００１段階から再実行する。
【０１３３】
もし、１００３段階で受信したＰＤＣＣＨがＰｃｅｌｌとＳｃｅｌｌのＰＤＳＣＨを皆スケジューリングすると判断されると、ＰｃｅｌｌのＰＤＳＣＨ受信手続きは １００５段階及びその以後段階によって実行される(図示せず)。さらに、ＳｃｅｌｌのＰＤＳＣＨ受信手続きは１０１１段階及びその以後段階によってそれぞれ進行される。
【０１３４】
第１実施形態乃至第３実施形態は、ＰｃｅｌｌのＴＤＤアップリンク−ダウンリンク設定によるＵＬサブフレーム個数がＳｃｅｌｌのＴＤＤアップリンク−ダウンリンク設定によるＵＬサブフレーム個数より多い場合に適用される。また同一時点でＳｃｅｌｌがＵＬサブフレームであれば、ＰｃｅｌｌもＵＬサブフレームであるべき、即ち、ＵＬサブフレーム観点でＰｃｅｌｌでＵＬサブフレームの位置が常にＳｃｅｌｌのＵＬサブフレームよりｓｕｐｅｒｓｅｔである関係を維持する。これによって、端末がＳｃｅｌｌのＰＤＳＣＨに対応されるＨＡＲＱ ＡＣＫ／ＮＡＣＫをＰｃｅｌｌのＵＬサブフレームを介して送信するとき、可能な遅延が発生されない。条件によって現在ＬＴＥ／ＬＴＥ−Ａシステムに定義されているＴＤＤアップリンク−ダウンリンク設定を基準で、 それぞれＰｃｅｌｌとＳｃｅｌｌに適用可能なＴＤＤアップリンク−ダウンリンク設定の組合を表に整理すれば以下の表７の通りである。
【０１３５】
【表７】
2014519757.tif 000009
【０１３６】
例えば、ｃａｓｅ７の場合、ＰｃｅｌｌがＴＤＤアップリンク−ダウンリンク設定＃６であれば、ＳｃｅｌｌはＴＤＤアップリンク−ダウンリンク設定＃１、或いはＴＤＤアップリンク−ダウンリンク設定＃２、或いはＴＤＤアップリンク−ダウンリンク設定＃３、 或いはＴＤＤアップリンク−ダウンリンク設定＃４、 或いはＴＤＤアップリンク−ダウンリンク設定＃５となることができる。さらに、第１実施形態乃至第３実施形態は多様な変形が可能である。
【０１３７】
一例として、クロスキャリアスケジューリングは同一時点にＰｃｅｌｌとＳｃｅｌｌが共にＤＬサブフレーム或いはスペシャルサブフレームの場合にだけ許容されることができる。即ち、任意の時点にＰｃｅｌｌがＵＬサブフレームであり、ＳｃｅｌｌがＤＬサブフレームの場合、クロスキャリアスケジューリングを許容しない。これによって「規則１」と「規則２」だけでＨＡＲＱ ＡＣＫ／ＮＡＣＫ送信タイミングを定義する。
【０１３８】
他の変形形態として、 第１実施形態で、もし「規則３」を満足するサブフレームが複数個存在する場合、ＨＡＲＱ ＡＣＫ／ＮＡＣＫ送信タイミングは「規則３」に追加的にＳｃｅｌｌのＰＤＳＣＨが送信されたサブフレームから最も近いサブフレームと定義される。
【０１３９】
他の一つの変形形態で、表７の条件に追加的な条件を加えて、 スペシャルサブフレームの送信周期によってキャリアアグリゲーションで運営可能なＴＤＤアップリンク−ダウンリンク設定の組合を制限することができる。即ち、スペシャルサブフレームの送信周期が５ｍｓであるＴＤＤアップリンク−ダウンリンク設定＃０、＃６、＃１、＃２を「グループ＃１」とし、スペシャルサブフレームの送信周期が１０ｍｓであるＴＤＤアップリンク−ダウンリンク設定＃３、＃４、＃５を「グループ＃２」と分類する。さらに、それぞれのグループ内で表７の説明で提示した条件及び第１乃至第２実施形態で定義した規則が適用されたＨＡＲＱ ＡＣＫ／ＮＡＣＫ送信タイミングを定義することができる。
【０１４０】
＜第４実施形態＞
【０１４１】
上記第１実施形態乃至第３実施形態と異なり、第４実施形態はＰｃｅｌｌ及びＳｃｅｌｌのＴＤＤアップリンク−ダウンリンク設定に何の制約がない場合を仮定する。
【０１４２】
以下、図１１を参照して、「規則１」及び「規則２」と後述する「規則５」が適用される第４実施形態の作動を説明する。
【０１４３】
図１１は、本発明の第４実施施形態によるＰＤＳＣＨとアップリンクＨＡＲＱ ＡＣＫ／ＮＡＣＫのタイミング関係を示した図面である。ここで図１１は２個の構成キャリアが集合されたＴＤＤシステムとして、ＰｃｅｌｌはＴＤＤアップリンク−ダウンリンク設定＃１(ＴＤＤ ＵＬ／ＤＬ ｃｏｎｆｉｇｕｒａｔｉｏｎ＃１)(１１０１)、ＳｃｅｌｌはＴＤＤアップリンク−ダウンリンク設定＃０(ＴＤＤ ＵＬ／ＤＬ ｃｏｎｆｉｇｕｒａｔｉｏｎ＃０)(１１０２)にそれぞれ設定された例を現わす。図１１はＰｃｅｌｌに対して既存ＬＴＥシステムに定義されたＰＤＣＣＨ及びＰＤＳＣＨとＰＵＣＣＨ間のタイミング関係及びＳｃｅｌｌに対して既存ＬＴＥシステムに定義されたＰＤＣＣＨ及びＰＤＳＣＨとＰＵＣＣＨの間のタイミング関係をそれぞれ実線矢印で表示する。各実線矢印の開始点はＰＤＣＣＨ及びＰＤＳＣＨが送信されるＤＬ サブフレームを現わし、 それぞれの実線矢印の終着点はＰＵＣＣＨが送信されるＵＬサブフレームを現わす。
【０１４４】
図１１で本発明が提案するＳｃｅｌｌのＰＤＳＣＨに対応されるＨＡＲＱ ＡＣＫ／ＮＡＣＫ送信タイミングは点線矢印で現わす。さらに、図１１はクロスキャリアスケジューリングを例示しているが、 セルフスケジューリングの場合にもクロスキャリアスケジューリングの場合と同様にＨＡＲＱ ＡＣＫ／ＮＡＣＫ送信タイミングが決定される。
【０１４５】
図１１の例示で、Ｐｃｅｌｌの「Ｄ」 或いは「Ｓ」サブフレームで開始してＳｃｅｌｌの「Ｄ」或いは「Ｓ」サブフレームで終了する点線矢印は、Ｐｃｅｌｌの「Ｄ」或いは「Ｓ」 サブフレームから送信されたＰＤＣＣＨがＳｃｅｌｌの「Ｄ」或いは「Ｓ」サブフレームで送信されるＰＤＳＣＨとクロスキャリアスケジューリングする作動を現わす。またＳｃｅｌｌの「Ｄ」或いは「Ｓ」サブフレームで開始してＰｃｅｌｌの「Ｕ」サブフレームで終了する点線矢印はＳｃｅｌｌの「Ｄ」或いは「Ｓ」サブフレームから送信されたＰＤＳＣＨに対応されるＨＡＲＱ ＡＣＫ／ＮＡＣＫがＰｃｅｌｌの「Ｕ」サブフレームから送信される作動を現わす。  
【０１４６】
図１１で「規則１」によってＰｃｅｌｌの場合、従来ＬＴＥで定義したＴＤＤアップリンク−ダウンリンク設定＃１によるＨＡＲＱ ＡＣＫ／ＮＡＣＫ送信タイミングがそのまま維持されてキャリアアグリゲーション有無と関係せず管理される。さらに、「規則２」によってＳｃｅｌｌから送信されるＰＤＳＣＨに対応されるＨＡＲＱ ＡＣＫ／ＮＡＣＫ送信タイミングはＳｃｅｌｌのＴＤＤアップリンク−ダウンリンク設定と関係せずＳｃｅｌｌと結合されたＰｃｅｌｌのＨＡＲＱ ＡＣＫ／ＮＡＣＫ送信タイミングに応ずる。
【０１４７】
図１１の例で、Ｐｃｅｌｌからラジオフレームｉのサブフレーム＃１(１１０７)を介してＰＤＣＣＨが送信されてＳｃｅｌｌをクロスキャリアスケジューリングすると、Ｓｃｅｌｌからラジオフレームｉのサブフレーム＃１(１１２２)からＰＤＳＣＨが送信される。さらに、ＳｃｅｌｌのＰＤＳＣＨに対応されるＨＡＲＱ ＡＣＫ／ＮＡＣＫは「規則２」によってＰｃｅｌｌのサブフレーム＃１(１１０７)に対応されるＨＡＲＱ ＡＣＫ／ＮＡＣＫ送信タイミングに応じて、Ｐｃｅｌｌのラジオフレームｉのサブフレーム＃７(１１１３)から送信される。
【０１４８】
Ｐｃｅｌｌでラジオフレームｉのサブフレーム＃５(１１１１)でＰＤＣＣＨが送信されてＳｃｅｌｌがクロスキャリアスケジューリングされると、Ｓｃｅｌｌのラジオフレームｉのサブフレーム＃５(１１２６)からＰＤＳＣＨが送信される。さらに、ＳｃｅｌｌのＰＤＳＣＨに対応されるＨＡＲＱ ＡＣＫ／ＮＡＣＫは 「規則 ２」によってＰｃｅｌｌのサブフレーム＃５(１１１１)に対応されるＨＡＲＱ ＡＣＫ／ＮＡＣＫ送信タイミングに応じてＰｃｅｌｌでラジオフレームｉ＋１のサブフレーム＃２(１１１８)を介して送信される。
【０１４９】
ところが、 図１１の場合、同一時点に該当するラジオフレームｉのサブフレーム＃４(１１１０、１１２５)で、ＰｃｅｌｌはＤＬサブフレームであり、ＳｃｅｌｌはＵＬサブフレームである。従って、Ｓｃｅｌｌのサブフレーム＃４(１１２５)でＳｃｅｌｌのＤＬデータであるＰＤＳＣＨを送信できない。よって、当該サブフレームでクロスキャリアスケジューリングが定義されることができない。
【０１５０】
−「規則５」:同一時点でＳｃｅｌｌが ＵＬサブフレームであり、ＰｃｅｌｌがＤＬサブフレームであれば、 当該サブフレームでＳｃｅｌｌのＰＤＳＣＨをクロスキャリアスケジューリングできない。
【０１５１】
この場合、ＰｃｅｌｌのＰＤＳＣＨをスケジューリングするためのＰＤＣＣＨ及びＰＤＳＣＨはＰｃｅｌｌの当該サブフレーム＃４(１１１０)を介して送信可能である。ＰｃｅｌｌのＰＤＳＣＨに対応されるＨＡＲＱ ＡＣＫ／ＮＡＣＫはＰｃｅｌｌの既存タイミング関係によってＰｃｅｌｌのサブフレーム＃８(１１１４)から送信される。
【０１５２】
第４実施形態によってＨＡＲＱ ＡＣＫ／ＮＡＣＫ送信タイミングを表に整理すると、ば以下の表８に現わすことができる。端末は基地局からサブフレームｎ−ｊに送信されたＰＤＳＣＨを受信すると、アップリンクサブフレーム nにＰＤＳＣＨに対するアップリンクＨＡＲＱ ＡＣＫ／ＮＡＣＫを送信する。この際、ｊは集合Jの構成元素として、Jは 表８に定義された通りである。表８でＰｃｅｌｌがＴＤＤアップリンク−ダウンリンク設定＃１であり、ＳｃｅｌｌがＴＤＤアップリンク−ダウンリンク設定＃０であり、Ｐｃｅｌｌ及びＳｃｅｌｌでそれぞれ送信されるＰＤＳＣＨに対応されるそれぞれのＨＡＲＱ ＡＣＫ／ＮＡＣＫはＰｃｅｌｌから送信されることを仮定する。
【０１５３】
【表８】
2014519757.tif 000010
【０１５４】
第４実施形態による基地局手続きは図９に上述したように実行されて、 追加的に「規則 ５」が適用される。さらに、第４実施形態による端末手続きは図１０に上述したように実行されて、追加的に「規則５」が適用される。
【０１５５】
一方、 第１乃至４実施形態はＨＡＲＱ ＡＣＫ／ＮＡＣＫをＰＵＣＣＨを介して送信する方法を説明しているが、これに限定されない。換言すれば、ＨＡＲＱ ＡＣＫ／ＮＡＣＫをアップリンクデータ送信用物理チャンネルであるＰＵＳＣＨ(Ｐｈｙｓｉｃａｌ Ｕｐｌｉｎｋ Ｓｈａｒｅｄ Ｃｈａｎｎｅｌ)に挿入して送信する場合にもタイミング関係に応じてＨＡＲＱ ＡＣＫ／ＮＡＣＫが送信されることによって、 一貫されたＨＡＲＱ ＡＣＫ／ＮＡＣＫ送信タイミングを維持する。例えば、図６でＳｃｅｌｌのラジオフレームｉのサブフレーム＃９(６３０)から送信されるＰＤＳＣＨに対応されるＨＡＲＱ ＡＣＫ／ＮＡＣＫはＳｃｅｌｌの自体タイミング規則に応ずると、ラジオフレームｉ＋１のサブフレーム＃３(６３４)である。しかし、ラジオフレームｉ＋１のサブフレーム＃３(６３４)で端末がＰＵＳＣＨを送信する場合にＨＡＲＱ ＡＣＫ／ＮＡＣＫをＳｃｅｌｌのサブフレーム＃３(６３４)のＰＵＳＣＨに挿入して送信できる。しかし、この場合にも、「規則 ２」が適用されてＰｃｅｌｌのラジオフレームｉ＋１のサブフレーム＃４(６２０)でＰＵＣＣＨ、或いはＰＵＳＣＨがスケジューリングされた場合にはＰＵＳＣＨを介してＨＡＲＱ ＡＣＫ／ＮＡＣＫが送信されることができる。
【０１５６】
一般的に、既存ＬＴＥ及びＬＴＥ−ＡシステムでＨＡＲＱ ＡＣＫ／ＮＡＣＫを送信するための無線リソースはＨＡＲＱ ＡＣＫ／ＮＡＣＫと対応されるＰＤＳＣＨをスケジューリングするＰＤＣＣＨのＣＣＥ(Ｃｏｎｔｒｏｌ Ｃｈａｎｎｅｌ Ｅｌｅｍｅｎｔ)インデックスから自動に計算される。ＣＣＥは、ＰＤＣＣＨを構成する基本単位として、 一つ或いは複数個のＣＣＥが集まってＰＤＣＣＨを構成する。１ ＣＣＥは総３６個のＲＥ(Ｒｅｓｏｕｒｃｅ Ｅｌｅｍｅｎｔ)が集まって構成される。ＲＥはＬＴＥ及びＬＴＥ−Ａシステムの無線リソースを表示する最小単位として、 周波数軸のサーブキャリアと時間軸の ＯＦＤＭシンボルの組合に定義される。
【０１５７】
一つのＰＤＣＣＨで複数個のサブフレームから送信されるＰＤＳＣＨがスケジューリングされると、 図６に図示したようにＳｃｅｌｌのサブフレーム＃１(６２２)から送信されるＰＤＳＣＨ(以下 、「ＰＤＳＣＨ１」と称する)とＳｃｅｌｌのサブフレーム＃４(６２５)から送信されるＰＤＳＣＨ(以下、「 ＰＤＳＣＨ２」と称する)を同時にＰｃｅｌｌのサブフレーム＃１(６７６)から送信される一つのＰＤＣＣＨでクロスキャリアスケジューリングすることができる。この際、Ｐｃｅｌｌ及びＳｃｅｌｌそれぞれのＰＤＳＣＨに対応されるＨＡＲＱ ＡＣＫ／ＮＡＣＫの送信リソースを定義すべきである。
【０１５８】
「ＰＤＳＣＨ１」の送信時点が「ＰＤＳＣＨ２」の送信時点より早い場合、「ＰＤＳＣＨ１」に対応されるＨＡＲＱ ＡＣＫ／ＮＡＣＫ送信リソースはＰＤＣＣＨを構成するＣＣＥのうちで最も小さいインデックス(ｎ＿ＣＣＥ)から計算される。さらに、「ＰＤＳＣＨ２」に対応されるＨＡＲＱ ＡＣＫ／ＮＡＣＫ送信リソースはｎ＿ＣＣＥ＋１から計算される。
【０１５９】
図１２は本発明の第１、２、３、４実施形態による基地局装置を示した図面である。
【０１６０】
図１２を参照すれば、基地局装置はキャリアアグリゲーション及びタイミング制御器(Ｃａｒｒｉｅｒ ａｇｇｒｅｇａｔｉｏｎ／ｔｉｍｉｎｇ ｃｏｎｔｒｏｌｌｅｒ)１２０１、 スケジューラー(Ｓｃｈｅｄｕｌｅｒ)１２０３、ＰＤＣＣＨブロック１２０５、ＰＤＳＣＨブロック１２１６、 多重化器(Ｍｕｌｔｉｐｌｅｘｉｎｇ)１２１５から構成される送信部(ＴＸ)とＰＵＣＣＨブロック１２３９、逆多重化器(Ｄｅｍｕｌｔｉｐｌｅｘｉｎｇ)１２４９から構成される受信部(ＲＸ)から構成される。送信部でＰＤＣＣＨブロック１２０５はＤＣＩ形成器(ＤＣＩ ｆｏｒｍａｔｔｉｎｇ)１２０７、チャンネルコーディング部(Ｃｈａｎｎｅｌ ｃｏｄｉｎｇ)１２０９、レートマッチング部(Ｒａｔｅ ｍａｔｃｈｉｎｇ)１２１１、変調器(Ｍｏｄｕｌａｔｉｏｎ)１２１３を備え、ＰＤＳＣＨブロック１２１６はデータバッファ(Ｄａｔａ ｂｕｆｆｅｒ)１２１７、チャンネルコーディング部(Ｃｈａｎｎｅｌ ｃｏｄｉｎｇ)１２１９、レートマッチング部(Ｒａｔｅ ｍａｔｃｈｉｎｇ)１２２１、変調器(Ｍｏｄｕｌａｔｉｏｎ)１２２３を備える。受信部でＰＵＣＣＨブロックは復調器(Ｄｅｍｏｄｕｌａｔｉｏｎ)１２４７、逆レートマッチング部(Ｄｅ−Ｒａｔｅ ｍａｔｃｈｉｎｇ)１２４５、 チャンネルデコーディング部(Ｃｈａｎｎｅｌ ｄｅｃｏｄｉｎｇ)１２４３、ＨＡＲＱ ＡＣＫ／ＮＡＣＫ獲得部(ＡｃｑｕｉｒｅＨＡＲＱ ＡＣＫ／ＮＡＣＫ)１２４１を備える。
【０１６１】
キャリアアグリゲーション及びタイミング制御器１２０１は端末に送信するデータ量、 システム内に使用可能のリソース量などを参考してスケジューリングする端末に対してキャリアアグリゲーションするか否かと、各物理チャンネル相互の間のタイミング関係を調節してスケジューラ１２０３、ＰＵＣＣＨブロック１２３９に通知する。ここでタイミング関係は本発明の具体的な実施形態で説明した方法に応ずる。
【０１６２】
キャリアアグリゲーション及びタイミング制御器１２０１は、第１セルまたは第２セルのうちの少なくとも一つのセルに対するダウンリンク物理チャンネルを端末に送信されるように制御する。さらに、キャリアアグリゲーション及びタイミング制御器１２０１は第１セルのダウンリンク物理チャンネルに対するアップリンク物理チャンネルが第１セルに対して予め設定された時点で受信されるように制御する。またキャリアアグリゲーション及びタイミング制御器１２０１は第２セルのダウンリンク物理チャンネルに対するアップリンク物理チャンネルが第１セルのアップリンク物理チャンネル受信時点によって受信されるように制御する。
【０１６３】
この場合、 キャリアアグリゲーション及びタイミング制御器１２０１は第１セル及び第２セルに対するダウンリンク物理チャンネルが同一時点で端末から送信される場合、 第２ セルのアップリンク物理チャンネル受信時点を第１セルのアップリンク物理チャンネル受信時点と同一に設定する。一方、 キャリアアグリゲーション及びタイミング制御器１２０１は、第１セル及び第２セルに対するダウンリンク物理チャンネルが同一時点から送信されない場合、第２セルのアップリンク物理チャンネル受信時点を第２セルのダウンリンク物理チャンネル送信時点で最も近接した第１セルのダウンリンクサブフレームに対応されるアップリンク物理チャンネル受信時点と同一に設定する。この場合、 第１セル及び第２セルに対するアップリンク物理チャンネルはアップリンクサブフレームに最大限均等に分布されて受信されることができる。
【０１６４】
また、キャリアアグリゲーション及びタイミング制御器１２０１は同一時点で第１ セルがダウンリンクサブフレームであり、第２セルがアップリンクサブフレームの場合、 当該時点で第２セルに対してクロスキャリアスケジューリングしないこともある。
【０１６５】
ＰＤＣＣＨブロック１２０５は、スケジューラ１２０３の制御を受けてＤＣＩ形成器１２０７を介してＤＣＩを構成する。さらに、ＤＣＩはチャンネルコーディング部１２０９でエラー訂正能力が付加された後、 レートマッチング部１２１１で実際マッピングされるリソース量に合わせてレートマッチングされる。さらに、レートマッチングされたＤＣＩは変調器１２１３で変調された後、多重化器１２１５で他の信号と多重化される。
【０１６６】
ＰＤＳＣＨブロック１２１６は、スケジューラ１２０３の制御を受けてデータバッファー１２１７から送信するデータを抽出する。抽出されたデータはチャンネルコーディング部１２１９でエラー訂正能力が付加された後、 レートマッチング部１２２１で実際マッピングされるリソース量に合わせてレートマッチングされる。そしてレートマッチングされたデータは変調器１２２３で変調された後、 多重化器１２１５で他の信号と多重化される。
【０１６７】
そして多重化された信号はＯＦＤＭ信号に生成されて端末に送信される。
【０１６８】
受信部でＰＵＣＣＨブロック１２３０は端末から受信した信号から逆多重化器１２４９を介してＰＵＣＣＨ信号を分離した後、これを復調器１２４７で復調する。さらに、ＰＵＣＣＨブロック１２３０は復調されたＰＵＣＣＨ信号をチャンネルデコーディング部１２３３でデコーディングし、ＨＡＲＱ ＡＣＫ／ＮＡＣＫ獲得部１２４１を介してＨＡＲＱ ＡＣＫ／ＮＡＣＫを獲得する。獲得されたＨＡＲＱ ＡＣＫ／ＮＡＣＫはスケジューラー１２０３に印加されてＰＤＳＣＨを再送信するか否かを決定するのに利用される。さらに、獲得されたＨＡＲＱ ＡＣＫ／ＮＡＣＫはキャリアアグリゲーション及びタイミング制御器１２０１に印加されてＰＤＳＣＨの送信タイミングを調整する。
【０１６９】
図１３は本発明の第１、２、３、４実施形態による端末装置を示した図面である。
【０１７０】
図１３を参照すれば、端末はキャリアアグリゲーション及びタイミング制御器(Ｃａｒｒｉｅｒ ａｇｇｒｅｇａｔｉｏｎ／ｔｉｍｉｎｇ ｃｏｎｔｒｏｌｌｅｒ)１３０１、ＰＵＣＣＨブロック１３０５、 多重化器(Ｍｕｌｔｉｐｌｅｘｉｎｇ)１３１５から構成される送信部(ＴＸ)とＰＤＳＣＨブロック１３３０、 ＰＤＣＣＨブロック１３３９、逆多重化器(Ｄｅｍｕｌｔｉｐｌｅｘｉｎｇ)１３４９から構成される受信部(ＲＸ)から構成される。
【０１７１】
送信部でＰＵＣＣＨ ブロック１３０５は、ＨＡＲＱ ＡＣＫ／ＮＡＣＫ形成器(ＨＡＲＱ ＡＣＫ／ＮＡＣＫｆｏｒｍａｔｔｉｎｇ)１３０７、 チャンネルコーディング部(Ｃｈａｎｎｅｌ ｃｏｄｉｎｇ)１３０９、変調器(Ｍｏｄｕｌａｔｉｏｎ)１３１３を備える。受信部でＰＤＳＣＨブロック１３３０は復調器(Ｄｅｍｏｄｕｌａｔｉｏｎ)１３３７、 逆レートマッチング部(Ｄｅ−Ｒａｔｅ ｍａｔｃｈｉｎｇ)１３３５、 チャンネルデコーディング部(Ｃｈａｎｎｅｌ ｄｅｃｏｄｉｎｇ)１３３３、データ獲得部(Ａｃｑｕｉｒｅ Ｄａｔａ)１３３１を備える。さらに、ＰＤＣＣＨブロック１３３９は復調器(Ｄｅｍｏｄｕｌａｔｉｏｎ)１３４７、逆レートマッチング部(Ｄｅ−Ｒａｔｅ ｍａｔｃｈｉｎｇ)１３４５、 チャンネルデコーディング部(Ｃｈａｎｎｅｌ ｄｅｃｏｄｉｎｇ)１３４３、ＤＣＩ獲得部(Ａｃｑｕｉｒｅ ＤＣＩ)１３４１を備える。
【０１７２】
キャリアアグリゲーション及びタイミング制御器１２０１は、基地局から受信したＤＣＩから端末のキャリアアグリゲーション状態を調整する。さらに、キャリアアグリゲーション及びタイミング制御器１２０１は、クロスキャリアスケジューリング時、どのキャリアからＰＤＳＣＨを受信するか否かと、 各物理チャンネルの間送受信タイミング関係を調節してＰＵＣＣＨブロック１３０５、ＰＤＳＣＨブロック１３３０、ＰＤＣＣＨブロック１３３９に通知する。タイミング関係は本発明の具体的な実施形態で説明した方法に応ずる。
【０１７３】
より具体的に、キャリアアグリゲーション及びタイミング制御器１３０１は第１セルまたは第２セルのうちの少なくとも一つのセルに対するダウンリンク物理チャンネルを基地局から受信されるように制御する。さらに、キャリアアグリゲーション及びタイミング制御器１３０１は第１セルに対するアップリンク物理チャンネルが第１セルに対して予め設定された時点で送信されるように制御する。さらに、キャリアアグリゲーション及びタイミング制御器１３０１は第２セルに対するアップリンク物理チャンネルが第１セルのアップリンク物理チャンネル送信時点によって送信されるように制御する。
【０１７４】
この場合、キャリアアグリゲーション及びタイミング制御器１３０１は第１セル及び第２セルに対するダウンリンク物理チャンネルが同一時点で基地局から受信される場合、 第２セルのアップリンク物理チャンネル送信時点を第１セルのアップリンク物理チャンネル送信時点と同一に設定する。また、 キャリアアグリゲーション及びタイミング制御器１３０１は第１セル及び第２セルに対するダウンリンク物理チャンネルが同一時点で基地局から受信されない場合、 第２セルのアップリンク物理チャンネル送信時点を第２セルのダウンリンク物理チャンネル送信時点で最も近接した第１セルのダウンリンクサブフレームに対して設定されたアップリンク物理チャンネル送信時点と同一に設定する。
【０１７５】
この場合、キャリアアグリゲーション及びタイミング制御器１３０１は第１セル及び第２セルに対するアップリンク物理チャンネルはアップリンクサブフレームに最大限均等に分布されて基地局に送信されるように制御することができる。
【０１７６】
送信部でＰＵＣＣＨブロック１３０５は、キャリアアグリゲーション及びタイミング制御器１２０１のタイミング制御を受けてＨＡＲＱ ＡＣＫ／ＮＡＣＫ形成器１３０７を介してＨＡＲＱ ＡＣＫ／ＮＡＣＫを構成する。ＨＡＲＱ ＡＣＫ／ＮＡＣＫはチャンネルコーディング部１３０９でエラー訂正能力が加えられ、変調器１３１３で変調された後、 多重化器１３１５で他の信号と多重化される。
【０１７７】
受信部でＰＤＳＣＨブロック１３３０は基地局から受信した信号に対して逆多重化器１３４９を介してＰＤＳＣＨ信号を分離する。そしてＰＤＳＣＨブロック１３３０は分離されたＰＤＳＣＨ信号を復調器１３３７で復調した後、 逆レートマッチング部１３３５でレートマッチング以前シンボルを再構成する。さらに、ＰＤＳＣＨブロック１３３０は再構成されたシンボルをチャンネルデコーディング部１３３３でデコーディングし、 データ獲得部１３３１でＰＤＳＣＨデータを獲得する。データ獲得部１３３１は、デコーディング結果に対するエラーであるか否かをＰＵＣＣＨブロック１３０５で通知してアップリンクＨＡＲＱ ＡＣＫ／ＮＡＣＫ生成を調整する。さらに、データ獲得部１３３１は、デコーディング結果に対するエラーであるか否かをキャリアアグリゲーション及びタイミング制御器１３０１で印加してＨＡＲＱ ＡＣＫ／ＮＡＣＫ送信タイミングを調整する。
【０１７８】
ＰＤＣＣＨブロック１３３９は基地局から受信した信号に対して逆多重化器１３４９を介してＰＤＣＣＨ信号を分離する。さらに、ＰＤＣＣＨ ブロック１３３９は分離したＰＤＣＣＨ信号を復調器１３４７で復調した後、 チャンネルデコーディング部１３３３でデコーディングする。さらに、ＰＤＣＣＨブロック１３３９はデコーディングされたＰＤＣＣＨ信号からＤＣＩ獲得部１３４１を介してＤＣＩを獲得する。獲得されたＤＣＩはキャリアアグリゲーション及びタイミング制御器１３０１に印加されて端末のＨＡＲＱ ＡＣＫ／ＮＡＣＫ送信タイミングを調整する。
【０１７９】
一方、 本明細書及び図面に開示された本発明の実施形態は本発明の記述内容を容易に説明して本発明の理解を助けるために特定例を提示したものであって、 本発明の範囲を限定するものではない。即ち、本発明の技術的思想に基づいた他の変形形態が実施可能であるということは本発明の属する技術分野で通常の知識を有する者に自明なものであろう。
【符号の説明】
【０１８０】
１２０１  タイミング制御器
１２０３  スケジューラ
１２０７  ＤＣＩ形成器
１２０９  チャンネルコーディング部
１２１１  レートマッチング部
１２１３  変調器
１２１５  多重化器
１２１６  ブロック
１２１７  データバッファ
１２１９  チャンネルコーディング部
１２２１  レートマッチング部
１２２３  変調器
１２３０  ブロック
１２３３  チャンネルデコーディング部
１２３９  ブロック
１２４１  獲得部
１２４３  チャンネルデコーディング部
１２４５  逆レートマッチング部（Ｄｅ−Ｒａｔｅ  ｍａｔｃｈｉｎｇ）
１２４７  復調器
１２４９  逆多重化器
１３０１  タイミング制御器
１３０５  ブロック
１３０７  ＮＡＣＫ形成器
１３０９  チャンネルコーディング部
１３１３  変調器
１３１５  多重化器
１３３０  ブロック
１３３１  データ獲得部
１３３３  チャンネルデコーディング部
１３３５  逆レートマッチング部
１３３７  復調器
１３３９  ブロック
１３４１  獲得部
１３４５  逆レートマッチング部（Ｄｅ−Ｒａｔｅ  ｍａｔｃｈｉｎｇ）
１３４７  復調器
１３４９  逆多重化器
【図１】
2014519757.tif 000011
【図２】
2014519757.tif 000012
【図３】
2014519757.tif 000013
【図４】
2014519757.tif 000014
【図５】
2014519757.tif 000015
【図６】
2014519757.tif 000016
【図７】
2014519757.tif 000017
【図８】
2014519757.tif 000018
【図１１】
2014519757.tif 000019
【図１２】
2014519757.tif 000020
【図１３】
2014519757.tif 000021
【図９】
2014519757.tif 000022
【図１０】
2014519757.tif 000023
【国際調査報告】
2014519757.tif 000024
2014519757.tif 000025